(57)【要約】【課題】ハウリングを防止したハンズフリー通話を可能にすると共に、音楽信号などを再生することも可能なハンズフリー通話機能付き音響再生装置を提供する。【解決手段】第１のスピーカは、スピーカユニットが、その振動板の前後から出る音が加算可能なように、バッフル板に取り付けられることなく、保持手段により保持される裸のスピーカとする。第２のスピーカは、マイクロホンに切り換え可能とすると共に、第１のスピーカの音圧ゼロ領域に配置する。ハンズフリー通話モード時には、第２のスピーカをマイクロホンに切り換えて、使用者の通話音声信号を収音し、相手方に送ると共に、相手方からの受話音声信号を第１のスピーカにより音響再生して放音する。【選択図】図１
2010056722.tif 000002
【特許請求の範囲】
【請求項１】
スピーカユニットが、その振動板の前後から出る音が加算可能なように、バッフル板に取り付けられることなく、保持手段により保持される第１のスピーカと、
ハンズフリー通話モード時には、前記第１のスピーカに、通話の相手方からの音声信号を供給する状態に切り換え、音響再生モード時には、前記第１のスピーカに、再生対象の音声信号を供給する状態に切り換える第１の切り換え回路と、
前記第１のスピーカの前記振動板の前後から出る音が加算されて相殺される領域に設けられ、マイクロホンに切り替え可能に構成された第２のスピーカと、
前記ハンズフリー通話モード時には、前記第２のスピーカをマイクロホンに切り換えると共に、当該マイクロホンで収音された前記使用者の通話音声信号を、前記ハンズフリー通話の相手方に伝送する状態に切り替え、音響再生モード時には、前記第２のスピーカに、前記再生対象の音声信号を供給する状態に切り換える第２の切り換え回路と、
前記ハンズフリー通話モード時に、前記使用者の通話音声信号を、通話の相手方に伝送するために出力する出力手段と、
前記ハンズフリー通話モード時に、前記通話の相手方からの通話音声信号を受け取って、前記第１のスピーカに供給するようにするための入力手段と、
を備えるハンズフリー通話機能付き音響再生装置。
【請求項２】
スピーカユニットが、その振動板の前後から出る音が加算可能なように、バッフル板に取り付けられることなく、保持手段により保持される第１のスピーカと、
前記第１のスピーカの前記振動板の前後から出る音が加算されて相殺される領域に設けられ、マイクロホンに切り換え可能に構成された第２のスピーカと、
ハンズフリー通話モード時には、前記第２のスピーカをマイクロホンに切り換えて、当該マイクロホンで収音された前記使用者の通話音声信号を、前記ハンズフリー通話の相手方に伝送する状態に切り替え、音響再生モード時には、前記第２のスピーカに前記再生対象の音声信号を供給する状態に切り換える切り換え回路と、
前記ハンズフリー通話モード時に、前記第１のスピーカに、再生対象の音声信号と通話の相手方からの音声信号とを混合した音声信号を供給するための音声混合手段と、
前記ハンズフリー通話モード時に、前記使用者の通話音声信号を、通話の相手方に伝送するために出力する出力手段と、
前記ハンズフリー通話モード時に、前記通話の相手方からの通話音声信号を受け取って、前記第１のスピーカに供給するようにするための入力手段と、
を備えるハンズフリー通話機能付き音響再生装置。
【請求項３】
請求項２に記載のハンズフリー通話機能付き音響再生装置において、
前記ハンズフリー通話モード時に、前記第１のスピーカに供給する前記再生対象の音声信号を減衰させる減衰手段を備える
ハンズフリー通話機能付き音響再生装置。
【請求項４】
請求項１または請求項２に記載のハンズフリー通話機能付き音響再生装置において、
前記第１のスピーカは、使用者が座る椅子のヘッドレストに取り付けられ、
前記第２のスピーカは、前記相殺される領域でおいて前記椅子に対して取り付けられる
ハンズフリー通話機能付き音響再生装置。
【請求項５】
請求項１または請求項２に記載のハンズフリー通話機能付き音響再生装置において、
前記第２のスピーカを、前記音響再生モードにおいては、前記使用者の耳の近傍に位置させ、前記ハンズフリー通話モードにおいては、前記相殺される領域であって前記使用者の口の近傍に位置させるようにする移動機構を備える
ハンズフリー通話機能付き音響再生装置。
【請求項６】
請求項１または請求項２に記載のハンズフリー通話機能付き音響再生装置において、
前記第２のスピーカを、前記ハンズフリー通話モードのときにのみ、前記相殺される領域に移動させるようにする第２の移動機構を備える
ハンズフリー通話機能付き音響再生装置。
【請求項７】
請求項１に記載のハンズフリー通話機能付き音響再生装置において、
前記第１のスピーカは、低音再生用のスピーカとされると共に、前記第２のスピーカは、高音再生用のスピーカとされる
ハンズフリー通話機能付き音響再生装置。
【請求項８】
請求項７に記載のハンズフリー通話機能付き音響再生装置において、
前記高音再生用のスピーカは２個設けられ、前記第２のスピーカは、前記２個のスピーカの一方のスピーカとされる
ハンズフリー通話機能付き音響再生装置。
【請求項９】
請求項１または請求項２に記載のハンズフリー通話機能付き音響再生装置において、
前記出力手段は、
前記マイクロホンとして用いられる前記第２のスピーカからの前記使用者の通話音声信号を、電話回線を通じて相手方に伝送するための第１の出力端と、
前記マイクロホンとして用いられる前記第２のスピーカからの前記使用者の通話音声信号を、他のハンズフリー通話機能付き音響再生装置の入力手段に伝送するための第２の出力端と、
前記第１の出力端と前記第２の出力端とのいずれかを選択する第１の選択回路と、
を備え、
前記入力手段は、
電話回線を通じて相手方から送られてくる通話音声信号を受け取るための第１の入力端と、
前記他のハンズフリー通話機能付き音響再生装置の前記第２の出力端を通じて相手方から送られてくる通話音声信号を受け取るための第２の入力端と、
前記第１の入力端と前記第２の入力端とのいずれかを選択する第２の選択回路と、
を備え、
使用者の選択指示が、前記他のハンズフリー通話機能付き音響再生装置との間での通話であるときには、前記第１の選択回路は前記第２の出力端側を、前記第２の選択回路は前記第２の入力端側を、それぞれ選択するように制御する制御手段が設けられてなるハンズフリー通話付き音響再生装置。
【請求項１０】
スピーカユニットが、その振動板の前後から出る音が加算可能なように、バッフル板に取り付けられることなく、保持手段により保持される第１のスピーカの前記振動板の前後から出る音が加算されて相殺される領域に、マイクロホンに切り替え可能に構成された第２のスピーカを設け、
音響再生モード時には、前記第１のスピーカに、再生対象の音声信号を供給すると共に、前記第２のスピーカに前記再生対象の音声信号を供給し、
ハンズフリー通話モード時には、前記第２のスピーカをマイクロホンに切り換え、当該マイクロホンで収音された前記使用者の通話音声信号を、前記ハンズフリー通話の相手方に伝送すると共に、前記第１のスピーカに、前記再生対象の音声信号を供給する状態から通話の相手方からの音声信号を供給する状態に切り換える
ハンズフリー通話方法。
【請求項１１】
スピーカユニットが、その振動板の前後から出る音が加算可能なように、バッフル板に取り付けられることなく、保持手段により保持される第１のスピーカの前記振動板の前後から出る音が加算されて相殺される領域に、マイクロホンに切り替え可能に構成された第２のスピーカを設け、
音響再生モード時には、前記第１のスピーカに、再生対象の音声信号を供給すると共に、前記第２のスピーカに前記再生対象の音声信号を供給し、
ハンズフリー通話モード時には、前記第２のスピーカをマイクロホンに切り換え、当該マイクロホンで収音された前記使用者の通話音声信号を、前記ハンズフリー通話の相手方に伝送すると共に、前記第１のスピーカに、前記再生対象の音声信号に、通話の相手方からの音声信号を加算した音声信号を供給する状態にする
ハンズフリー通話方法。
【請求項１２】
請求項１１に記載のハンズフリー通話方法において、
前記ハンズフリー通話モード時においては、前記再生対象の音声信号は減衰させた後、前記通話の相手方の音声信号と加算する
ハンズフリー通話方法。
【発明の詳細な説明】
【技術分野】
【０００１】
この発明は、ハンズフリー通話を可能にするハンズフリー通話機能付き音響再生装置およびハンズフリー通話方法に関する。
【背景技術】
【０００２】
電話機のハンドセットを人が手で保持することなく、通話をすることができるようにしたハンズフリー通話装置が提案されている。特に、安全運転のために、運転者がハンズフリー通話ができるようにした車載用ハンズフリー装置も提案されている。
【０００３】
この車載用ハンズフリー装置としては、例えば図２０に示すように、通話者（この場合、運転者）１０１の送話用のマイクロホン１０２を、自動車のフロントガラス内側に設けられるサンバイザー１０３に取り付けたものが提案されている。この場合、車載用オーディオ再生装置が搭載されている場合には、当該車載用オーディオ再生装置の再生音の音響再生に用いられるスピーカが、受話音声の音響再生用として用いることができる。
【０００４】
車載用オーディオ再生装置の再生音の音響再生に用いられるスピーカ１０４は、図２０に示すように、例えば、自動車の運転席、助手席、後部座席のそれぞれのドアに埋め込まれて取り付けられて設けられる。そこで、図２０の場合には、例えば運転者がハンズフリー通話を行なう場合、サンバイザー１０３のマイクロホン１０２と、運転席の右側にあるドアに取り付けられたスピーカ１０４とが用いられるように構成されている。
【０００５】
しかし、この図２０の場合には、マイクロホン１０２がスピーカ１０４から放音される音を収音することによるハウリングの問題がある。また、マイクロホン１０２とスピーカ１０４の設置位置が、サンバイザー１０３とドアというように離れているため、配線の引き回しに難点があるという問題もある。
【０００６】
この点を改善したものとして、特許文献１（特開２００１−１４６１３６号公報）には、図２１に示すような自動車用ハンズフリー通話装置が提案されている。この特許文献１に示されるものは、自動車の座席シートの背もたれ部１１１の上方の、ヘッドレスト１１４を挟んだ両肩部分の一方に、受話用のスピーカ１１２を設け、他方に送話用のマイクロホン１１３を設けたものである。
【０００７】
この特許文献１の構成によれば、ヘッドレスト１１４および利用者（運転者）の存在が遮音となり、ハウリングが低減されると共に、スピーカ１１２とマイクロホン１１３に対する配線は、例えば図２１の配線部１１５で示すように、共通化することができる。
【０００８】
上記の特許文献は、次の通りである。
【特許文献１】特開２００１−１４６１３６号公報
【発明の開示】
【発明が解決しようとする課題】
【０００９】
しかしながら、上記の特許文献１の自動車用ハンズフリー通話装置では、スピーカ１１２からの放音音声が大きいときには、ハウリングの防止効果が小さくなってしまうという問題がある。
【００１０】
また、この特許文献１の自動車用ハンズフリー通話装置のスピーカ１１２を、カーオーディオの音楽再生用として用いることも可能ではある。しかし、スピーカ１１２は、ハウリング防止のためには、背もたれ部１１１の上方のヘッドレスト１１４を挟んだ両肩部分の、マイクロホン１１３が設けられない方にのみ設けられる必要がある。
【００１１】
このため、特許文献１の自動車用ハンズフリー通話装置のスピーカを、カーオーディオの音楽再生用として用いる場合、左右２チャンネルステレオ再生音を聴取しながらのハンズフリー通話ができない構成となってしまう。
【００１２】
すなわち、左右２チャンネルステレオ再生をするためには、座席シートの背もたれ部１１１の上方の両肩部分にスピーカを配置することが必要となる。しかし、そのようなスピーカ配置をすると、マイクロホン１１３が設けられている側にも、当該マイクロホン１１３の近傍にスピーカが配置されることになる。しかし、特許文献１では、マイクロホン１１３の近傍にスピーカ１１２を配置する構成はハウリングを考慮すれば想定されていない。したがって、特許文献１では、音楽再生用のスピーカは、ハンズフリー通話用のスピーカとは別個に設けられる構成とする必要がある。
【００１３】
この発明は、上述した問題点を解消するようにしたハンズフリー通話機能付き音響再生装置および方法を提供することを目的とする。
【課題を解決するための手段】
【００１４】
上記の課題を解決するために、この発明は、
スピーカユニットが、その振動板の前後から出る音が加算可能なように、バッフル板に取り付けられることなく、保持手段により保持される第１のスピーカと、
ハンズフリー通話モード時には、前記第１のスピーカに、通話の相手方からの音声信号を供給する状態に切り換え、音響再生モード時には、前記第１のスピーカに、再生対象の音声信号の一部を供給する状態に切り換える第１の切り換え回路と、
前記第１のスピーカの前記振動板の前後から出る音が加算されて相殺される領域に設けられ、マイクロホンに切り替え可能に構成された第２のスピーカと、
前記ハンズフリー通話モード時には、前記第２のスピーカをマイクロホンに切り換えると共に、当該マイクロホンで収音された前記使用者の通話音声信号を、前記ハンズフリー通話の相手方に伝送する状態に切り替え、音響再生モード時には、前記第２のスピーカに、前記再生対象の音声信号の一部を供給する状態に切り換える第２の切り換え回路と、
前記ハンズフリー通話モード時に、前記使用者の通話音声信号を、通話の相手方に伝送するために出力する出力手段と、
前記ハンズフリー通話モード時に、前記通話の相手方からの通話音声信号を受け取って、前記第１のスピーカに供給するようにするための入力手段と、
を備えるハンズフリー通話機能付き音響再生装置を提供する。
【００１５】
上述の構成のこの発明によれば、音響再生モード時に再生対象の音声信号の音響スピーカとして使用される第２のスピーカが、ハンズフリー通話モード時には、マイクロホンに切り換えられる。また、第１のスピーカは、ハンズフリー通話モード時には、相手方からの通話音声を再生するように切り換えられる。
【００１６】
このマイクロホンとされる第２のスピーカは、第１のスピーカの振動板の前後から出る音が加算されて相殺される領域に設けられている。したがって、ハンズフリー通話モードにおいては、第１のスピーカから放音される相手方通話音声は、マイクロホン（第２のスピーカ）で収音されないようになる。このため、ハウリングの問題は解消される。
【００１７】
また、この発明においては、
スピーカユニットが、その振動板の前後から出る音が加算可能なように、バッフル板に取り付けられることなく、保持手段により保持される第１のスピーカと、
前記第１のスピーカの前記振動板の前後から出る音が加算されて相殺される領域に設けられ、マイクロホンに切り換え可能に構成された第２のスピーカと、
ハンズフリー通話モード時には、前記第２のスピーカをマイクロホンに切り換えて、当該マイクロホンで収音された前記使用者の通話音声信号を、前記ハンズフリー通話の相手方に伝送する状態に切り替え、音響再生モード時には、前記第２のスピーカに前記再生対象の音声信号を供給する状態に切り換える切り換え回路と、
前記ハンズフリー通話モード時に、前記第１のスピーカに、再生対象の音声信号と通話の相手方からの音声信号とを混合した音声信号を供給するための音声混合手段と、
前記ハンズフリー通話モード時に、前記使用者の通話音声信号を、通話の相手方に伝送するために出力する出力手段と、
前記ハンズフリー通話モード時に、前記通話の相手方からの通話音声信号を受け取って、前記第１のスピーカに供給するようにするための入力手段と、
を備えるハンズフリー通話機能付き音響再生装置を提供する。
【００１８】
上述の構成のこの発明によれば、音響再生モード時に再生対象の音声信号の音響スピーカとして使用される第２のスピーカが、ハンズフリー通話モード時には、マイクロホンに切り換えられる。また、第１のスピーカは、ハンズフリー通話モード時には、相手方からの通話音声が混合された音声信号を放音するようにされる。
【００１９】
マイクロホンとされる第２のスピーカは、第１のスピーカの振動板の前後から出る音が加算されて相殺される領域に設けられている。したがって、ハンズフリー通話モードにおいては、第１のスピーカから放音される相手方通話音声および再生対象の音声は、マイクロホン（第２のスピーカ）で収音されないようになる。このため、ハウリングの問題は解消される。
【発明の効果】
【００２０】
この発明によれば、音響再生モードにおいては再生対象の音声信号を音響再生する第２のスピーカを、ハンズフリー通話モード時には、マイクロホンとして使用して、ハウリングを防止したハンズフリー通話を行なうことができる。
【００２１】
そして、この発明によれば、音響再生モードにおいては、再生対象の音声信号の音響再生用である第１及び第２のスピーカを用いて、ハンズフリー通話ができるという効果もある。このため、比較的簡単な構成により、ハンズフリー通話機能付き音響再生装置を実現することができるものである。
【発明を実施するための最良の形態】
【００２２】
以下、この発明によるハンズフリー通話装置の実施形態およびハンズフリー通話機能付き音響再生装置の実施形態を、図を参照しながら説明する。
【００２３】
＜第１の実施形態＞
［第１の実施形態のハードウエア構成例］
図１は、この発明によるハンズフリー通話機能付き音響再生装置の実施形態のハードウエア構成例を説明するための図である。
【００２４】
図１に示す実施形態のハンズフリー通話機能付き音響再生装置１０は、ＣＤ（Ｃｏｍｐａｃｔ  Ｄｉｓｃ）などのディスクメディアや、ハードディスクなどの記憶装置などからの音楽ソースなどを音響再生する音響再生モードを備える。また、ハンズフリー通話機能付き音響再生装置１０は、音響再生モードにおいて、音楽ソースを音響再生するスピーカを用いてハンズフリー通話をするハンズフリー通話モードも備える。
【００２５】
〔スピーカの構成について〕
この実施形態のハンズフリー通話機能付き音響再生装置１０の音響再生用のスピーカは、低音再生用のサブウーハと、高音再生用の左右２チャンネルのスピーカとからなる、いわゆる３Ｄ方式のスピーカ構成とされる。この実施形態では、この３Ｄ方式用の３個のスピーカは、使用者が座る椅子のヘッドレスト部に取り付けられる構成とされている。
【００２６】
図１において、１Ｗは低音再生用のサブウーハであり、第１のスピーカの例を構成する。後述するように、この実施形態では、サブウーハ１Ｗは、ハンズフリー通話モードにおいては、相手方からの受話音声を放音するスピーカとされる。
【００２７】
また、２Ｌおよび２Ｒは高音再生用の左右２チャンネルのスピーカである。この実施形態では、この２個のスピーカ２Ｌ，２Ｒのうちの、スピーカ２Ｌは第２のスピーカの例を構成する。後述するように、この実施形態では、スピーカ２Ｌは、ハンズフリー通話モードにおいては、使用者３の送話音声を収音するマイクロホンに切り換えることが可能に構成されている。
【００２８】
サブウーハ１Ｗおよびスピーカ２Ｌ，２Ｒは、この実施形態では、図２に示すように、使用者３が座る椅子１０のヘッドレスト１１に相当する部分に設けられる。図２（Ａ）は、使用者３が座る椅子１０を、その斜め正面側から見た図であり、また、図２（Ｂ）は、使用者３が座る椅子１０を、背面側から見た図である。
【００２９】
この実施形態では、サブウーハ１Ｗは、いわゆる裸のスピーカの構成とされる。すなわち、サブウーハ１Ｗは、スピーカユニットがスピーカボックスには収納されてはおらず、かつ、バッフル板に取り付けられてはいない構造とされる。
【００３０】
図２に示すように、サブウーハ１Ｗは、この例では、使用者３が椅子１０に座ったときに使用者３の頭部の真後ろとなる位置に、ヘッドレスト１１に固定される。
【００３１】
この実施形態では、ヘッドレスト１１は、椅子１０の背もたれ部１２の、ヘッドレスト取り付け孔１２ａおよび１２ｂに対して、挿脱棒状部１１ａ，１１ｂを挿脱することにより、椅子１０に対して取り外し可能な構成とされている。そして、サブウーハ１Ｗは、ヘッドレスト１１の、取り付け孔１２ａおよび１２ｂへの挿脱棒状部１１ａ，１１ｂから延長するスピーカ保持部１１ｃ，１１ｄにより保持固定されている。
【００３２】
また、ヘッドレスト１１は、スピーカ保持部１１ｃ，１１ｄから、サブウーハ１Ｗの振動板側の前方に折り曲げられる屈曲アーム部１３を備える。この屈曲アーム部１３は、図２に示すように、Ｕ字状形状をしていると共に、当該Ｕ字状形状のアームが、サブウーハ１Ｗの振動板側の前方に折り曲げられて、使用者３の頭部を弾性的に保持することができる構造とされる。
【００３３】
この実施形態の場合、屈曲アーム部１３の、折り曲げられたＵ字状形状部分は、サブウーハ１Ｗの振動板側の最も出っ張っている部分から所定距離だけ離間する位置となるような構造とされる。この屈曲アーム部１３の、折り曲げられたＵ字状形状部分により、サブウーハ１Ｗに、使用者３の頭部がぶつからないように構成されている。しかも、屈曲アーム部１３は、当該折り曲げ構造により、使用者３の頭部を弾性的に支える働きをする。
【００３４】
この裸のスピーカの構成であるサブウーハ１Ｗでは、図３に示すように、そのスピーカユニットの振動板の前方に放射される音波Ｓｆと、後ろから放射される音波Ｓｂとが混合される状態となる。ここで、スピーカユニットの振動板の前から出る音波Ｓｆの位相（図４（Ａ）参照）と、振動板の後ろから出る音波Ｓｂの位相（図４（Ｃ）参照）とでは、互いに逆相となる。このため、サブウーハ１Ｗの振動板の外周端を含む面に平行な面内であって、当該振動板の外周端よりも外側の領域において、当該振動板の前後から出る音が加算されて相殺され（図３（Ｂ）参照）、音圧がほぼゼロになる領域Ｚｏが存在する。以下、この音圧がほぼゼロになる領域Ｚｏを音圧ゼロ領域Ｚｏと称する。
【００３５】
この音圧ゼロ領域Ｚｏは、裸のスピーカで音声を再生したときに、マイクロホンにより、当該裸のスピーカからの放射音波を収音することにより、確認することができる。図３では、破線５により、この領域を示している。
【００３６】
この実施形態では、サブウーハ１Ｗについての音圧ゼロ領域Ｚｏの任意の位置に、スピーカ２Ｌおよび２Ｒを配置する。前述したように、スピーカ２Ｌは、マイクロホンとしても使用されるように構成されているので、送話者（使用者３）の送話音声の収音用のマイクロホンがサブウーハ１Ｗからの放音音声に対して音圧ゼロ領域Ｚｏに配置されることになる。
【００３７】
実際的には、サブウーハ１Ｗの振動板の外周フレーム部を含む平面内が音圧ゼロ領域Ｚｏとなるので、この実施形態では、サブウーハ１Ｗを保持するスピーカ保持部１１ｃ，１１ｄに、スピーカ２Ｌおよび２Ｒは取り付けられる。
【００３８】
そして、この実施形態では、このスピーカ２Ｌおよび２Ｒも、裸のスピーカの構成とされている。
【００３９】
この実施形態において、音響再生モードにおいては、図５（Ａ）に示すように、使用者３が座る椅子１０のヘッドレスト１１の両端に取り付けらるスピーカ２Ｌ，２Ｒは、それぞれの振動板の振動面が、使用者の左右の耳側を向くようにされるのが望ましい。使用者に対して、耳の近傍において、効率的に音響再生された放音音声が提供できるので、スピーカ２Ｌ，２Ｒからは低い音圧の音声信号を放音すればよく、周囲への漏れ音を少なくできるからである。
【００４０】
図５（Ａ）の例では、スピーカ２Ｌ，２Ｒは、その振動板の振動面が使用者３の左右の耳側を向くようにするため、それぞれの振動板の振動面が、ヘッドレスト１１の長片方向に対して、例えば４５度程度の斜めの状態とされる。
【００４１】
一方、ハンズフリー通話モードにおいては、図５（Ｂ）に示すように、マイクロホンと切り替え兼用されるスピーカ２Ｌは、サブウーハ１Ｗについての音圧ゼロ領域Ｚｏに配置される状態になっている方が望ましい。この場合、サブウーハ１Ｗについての音圧ゼロ領域Ｚｏに配置される状態では、スピーカ２Ｌの振動板の向きが、サブウーハ１Ｗの振動板の向きと同じになる。
【００４２】
また、音響再生モード時においては、スピーカ２Ｌおよび２Ｒは、図６（Ａ）に示すように、使用者の左右の耳の近傍の高さ位置に在った方が、当該スピーカ２Ｌ，２Ｒからの出力音圧を、より低くすることが可能であるので、望ましい。
【００４３】
一方、ハンズフリー通話モード時には、スピーカ２Ｌは、使用者の送話音声を収音するマイクロホンとされるので、できれば、図６（Ｃ）に示すように、使用者の口の近くの高さ位置にあった方が望ましい。つまり、スピーカ２Ｌは、高さ方向にｄだけ移動することが望ましい。
【００４４】
なお、図６（Ｂ）および図６（Ｄ）は、音響再生モード時と、ハンズフリー通話モード時とにおけるスピーカ２Ｌ，２Ｒの使用者３に対する振動板の向きを確認的に示したもので、これは、図５（Ａ）および（Ｂ）と同様である。
【００４５】
なお、図５において、楕円の点線は、サブウーハ１Ｗからの前方に放音される音波と、後方に放音される音波とを示している。
【００４６】
以上のことを考慮して、この実施形態では、少なくともスピーカ２Ｌは、音響再生モードと、ハンズフリー通話モードとで、それぞれ適切な状態となるようにするスピーカ移動機構により移動可能に構成されている。
【００４７】
すなわち、第１に、スピーカ２Ｌは、その振動板の振動面が、椅子１０に座っている使用者３の両耳方向に向く状態と、サブウーハ１Ｗの振動板と同じ向きになっている状態との両状態を取れるように、回動移動可能にヘッドレスト１１に取り付けられている。このときの２種の向きの状態は、図６（Ｂ）および（Ｄ）に示した通りである。
【００４８】
また、第２に、スピーカ２Ｌは、使用者３の左耳の横に位置する状態と、使用者３の口の横に位置する状態との両状態を取れるように、高さ方向に移動可能となるように、ヘッドレスト１１に取り付けられている。このときの２種の向きの状態は、図６（Ａ）および（Ｃ）に示した通りである。
【００４９】
なお、この実施形態では、スピーカ２Ｌのみをマイクロホンとして切り替え使用するようにするので、スピーカ２Ｒについては、上述のような移動機構は設けなくても良い。しかし、場合によっては、スピーカ２Ｌに代えて、スピーカ２Ｒをマイクロホンと切り替え兼用にした方が良い場合を想定して、この実施形態では、２個のスピーカ２Ｌ，２Ｒの両方に対して、移動機構が設けられている。
【００５０】
〔スピーカ移動機構について〕
図７および図８は、スピーカ移動機構の一例を示すものである。この例では、ヘッドレスト１１には、スピーカ２Ｌに対するスピーカ移動機構５０Ｌと、スピーカ２Ｒに対するスピーカ移動機構５０Ｒとが設けられる。スピーカ移動機構５０Ｌおよび５０Ｒは、それぞれサブウーハ１Ｗを保持するためのスピーカ保持部１１ｃおよび１１ｄの部分に、それぞれ設けられている。
【００５１】
図７は、スピーカ移動機構５０Ｌおよび５０Ｒを、椅子１０の真上から見た図である。また、図８は、スピーカ移動機構５０Ｌについて、その詳細構造を説明するための図である。なお、スピーカ移動機構５０Ｒについては、スピーカ移動機構５０Ｌと、左右対称な構造となっているだけで、基本的な構造は同一であるので、その詳細構造は省略する。
【００５２】
図８において、例えばステッピングモータからなるモータ５１Ｌは、スピーカ２Ｌの向きを、前述したように例えば４５度の角範囲で変更するようにするためのものである。また、例えば同様にステッピングモータからなるモータ５２Ｌは、スピーカ２Ｌの高さ位置を、使用者の耳の横位置と、使用者の口の位置との間で、前述したように距離ｄだけ移動させるようにするためのものである。
【００５３】
そして、モータ５１Ｌの回転軸５３Ｌに対して、スピーカ保持部材５４Ｌが固定されている。スピーカ２Ｌは、このスピーカ保持部材５４Ｌに取り付けられている。したがって、モータ５１Ｌが回転駆動すると、その回転軸５３Ｌに固定されているスピーカ保持部材５４Ｌが回転軸５３Ｌの回転角分だけ、その回転軸５３Ｌの回転方向に、回転軸５３Ｌを中心に回動する。
【００５４】
モータ５１Ｌは、高さ方向摺動部材５５Ｌ内に収納されている。モータ５２Ｌの回転軸５６Ｌには、ねじ山が切ってあり、高さ方向摺動部材５５Ｌが、モータ５２Ｌの回転軸５６Ｌに対して螺合されている。モータ５２Ｌは、固定部材５７Ｌ内に設けられている。そして、高さ方向摺動部材５５Ｌが、回転軸５６Ｌの回転に沿って回転しないようにするために、ガイドピン５８Ｌが、高さ方向摺動部材５５Ｌを貫通して、固定部材５７Ｌに固定されている。
【００５５】
この構成により、モータ５２Ｌが回転駆動すると、その回転軸５６Ｌに螺合されている高さ方向摺動部材５５Ｌが、ガイドピン５８Ｌのために回動することなく、回転軸５６Ｌの回転方向に応じて、上下に摺動移動する。
【００５６】
図８のスピーカ移動機構５０Ｌは、この実施形態では、ヘッドレスト１１のサブウーハ１Ｗのスピーカ保持部１１ｄ内に収納されて設けられる。
【００５７】
そして、後述する制御部４０からのスピーカ２Ｌ用の回動制御信号により、モータ５１Ｌおよび５２Ｌが回転駆動制御される。その場合に、モータ５１Ｌに対する回転制御信号により、モータ５１Ｌは制御されて、当該回転制御信号に応じた回転方向および回転角だけ、スピーカ２Ｌの向きが変更制御される。また、モータ５２Ｌに対する回転制御信号により、モータ５２Ｌは制御されて、当該回転制御信号による回転方向に応じた高さ方向に、高さ方向摺動部材５５Ｌが摺動移動する。
【００５８】
すなわち、音響再生モードからハンズフリー通話モードに変更されたときには、制御部４０は、モータ５１Ｌに対して、反時計方向に４５度だけ、回転軸５３Ｌを回転させるようにする回転制御信号を供給する。すると、スピーカ２Ｌの振動板の外周フレームを含む面が、サブウーハ１Ｗの振動板の外周フレームを含む面に対して４５度の角度となっている音響再生モードの状態から、反時計方向に４５度だけ、スピーカ保持部材５４Ｌが回転軸５３Ｌを中心に回動する。これにより、スピーカ２Ｌの振動板の外周フレームを含む面が、サブウーハ１Ｗの振動板の外周フレームを含む面と平行になり、スピーカ２Ｌは、サブウーハ１Ｗに対して音圧ゼロ領域Ｚｏに位置するようにされる。
【００５９】
逆に、ハンズフリー通話モードから音響再生モードに変更されたときには、制御部４０は、モータ５１Ｌに対して、時計方向に４５度だけ、回転軸５３Ｌを回転させるようにする回転制御信号を供給する。これにより、スピーカ２Ｌは、スピーカ２Ｌの振動板の外周フレームを含む面が、サブウーハ１Ｗの振動板の外周フレームを含む面に対して４５度の角度となっている音響再生モードの状態に戻る。
【００６０】
また、音響再生モードからハンズフリー通話モードに変更されたときには、制御部４０は、モータ５１Ｌに対して、高さ方向摺動部材５５Ｌの高さ位置を、距離ｄだけ、下げるようにする回転制御信号を供給する。これにより、スピーカ２Ｌの中心位置が使用者の口の横に来るように、高さ方向摺動部材５５Ｌが摺動移動する。
【００６１】
逆に、ハンズフリー通話モードから音響再生モードに変更されたときには、制御部４０は、モータ５２Ｌに対して、高さ方向摺動部材５５Ｌの高さ位置を、距離ｄだけ、上げるようにする回転制御信号を供給する。これにより、スピーカ２Ｌの中心位置が使用者の耳の横に来るように、高さ方向摺動部材５５Ｌが摺動移動する。
【００６２】
以上は、スピーカ移動機構５０Ｌについての説明であるが、スピーカ移動機構５０Ｒについても左右対称となるだけで、全く同様に構成されるものである。なお、図７においては、スピーカ移動機構５０Ｒについての構成要素は、スピーカ移動機構５０Ｌの対応する構成要素と同一符号のサフィックスＬをサフィックスＲに変更したものを付与している。スピーカ移動機構５０Ｒは、この実施形態では、ヘッドレスト１１のサブウーハ１Ｗのスピーカ保持部１１ｃ内に収納されて設けられるものである。
【００６３】
〔信号処理系の説明〕
次に、図１を参照して、この実施形態のハンズフリー通話機能付き音響再生装置の信号処理系の構成について説明する。
【００６４】
この実施形態のハンズフリー通話機能付き音響再生装置は、音声信号処理部２０と、音声信号発生手段の例としての音楽ソース部３０と、制御部４０と、操作ボタン群４１と、携帯電話端末４とから構成される。
【００６５】
音声信号処理部２０は、音響再生モードと、ハンズフリー通話モードとで、切り換えられるスイッチ回路２１，２２，２３，２４，２５を備える。これらスイッチ回路２１〜２５は、制御部４０からのモード切り換え信号により、音響再生モード時には、端子Ｍ側に、ハンズフリー通話モード時には、端子Ｔ側に、それぞれ切り換えられる。
【００６６】
音楽ソース部３０は、この実施形態では、ＣＤ（Ｃｏｍｐａｃｔ  Ｄｉｓｃ）プレーヤと、ハードディスクドライブ（以下、ＨＤＤと略称する）３１Ｈと、放送受信部３１Ｂとを備えている。ＣＤプレーヤ３１Ｃは、ＣＤがこれに装填されると２チャンネルの音声信号をデコードして出力する。ＨＤＤ３１Ｈには、多数の音楽コンテンツの音楽データが格納されており、これが選択されると、音楽データをデコードして、２チャンネルの音声信号を出力する。放送受信部３１Ｂは、例えば、ＡＭラジオ放送、ＦＭラジオ放送およびテレビ放送などを受信可能であり、受信した放送音声を、２チャンネルの音声信号として出力する。
【００６７】
この実施形態では、ＣＤプレーヤ３１Ｃ、ＨＤＤ３１Ｈ、放送受信部３１Ｂからの左右２チャンネルの音声信号は、音声信号処理部２０に供給される。
【００６８】
音声信号処理部２０では、ＣＤプレーヤ３１Ｃ、ＨＤＤ３１Ｈおよび放送受信部３１Ｂからの２チャンネルの音声信号は、ソース選択回路３２に入力される。
【００６９】
操作ボタン群４１は、図９に示すように、電話ボタン６１、ＣＤボタン６２、ＨＤＤボタン６３、放送ボタン６４などの選択ボタンと、音量調整つまみ６５とを備えている。操作ボタン群４１での使用者によるボタン操作に応じた操作信号は、制御部４０に供給される。
【００７０】
なお、操作ボタン群４１には、上述のような選択ボタンのほかに、ＣＤプレーヤ３１ＣやＨＤＤ３１Ｈに対する、いわゆるリピート再生や、シャッフル再生、また、放送受信部３１Ｂにおける放送選局用操作ボタンなども含む。しかし、説明の簡単のため、これらのボタンについては図示及び説明を省略する。
【００７１】
制御部４０は、例えばマイクロコンピュータを搭載して構成されており、操作ボタン群４１における使用者のボタン操作に応じた制御信号を生成し、音楽ソース部３０および音声信号処理部２０の必要な各部に供給するようにする。
【００７２】
制御部４０は、音響再生モードの状態において、通話ボタン６１が操作されたときには、音響再生モードからハンズフリー通話モードに切り換えられたと判断し、モード切り換え信号を、スイッチ回路２１〜２５に供給するようにする。そして、制御部４０は、このモード切り換えに応じて、モータ５１Ｌおよび５２Ｌに対して、上述したような回転制御信号を供給する。
【００７３】
また、制御部４０は、ハンズフリー通話モードの状態において、ＣＤボタン６２、ＨＤＤボタン６３、放送ボタン６４などの選択ボタンのいずれかが操作されたことを検知すると、ハンズフリー通話モードから音響再生モードに切り換えられたと判断する。そして、制御部４０は、その判断結果に基づいて、モード切り換え信号を、スイッチ回路２１〜２５に供給すると共に、モータ５１Ｌ，５２Ｌおよび５２Ｌ，５２Ｒに対して、上述したような回転制御信号を供給する。
【００７４】
なお、この実施形態におけるハンズフリー通話モードにおいては、音楽ソースの再生がなされない状態に切り換えられる。そして、スピーカ２Ｌがマイクロホンとして用いられて、使用者３の送話音声の収音用とされ、また、サブウーハ１Ｗが、通話の相手方からの受話音声の放音用される。
【００７５】
そして、音楽ソース再生モードにおいて、ＣＤボタン６２、ＨＤＤボタン６３、放送ボタン６４などの音楽ソースについての選択ボタンが押下されると、制御部４０は、ソース選択回路３２にソース選択信号を供給する。
【００７６】
ソース選択回路３２は、そのソース選択信号により選択制御されて、押下された選択ボタンに応じた音楽ソースを選択するように選択制御する。例えば、ＣＤボタン６２が押下されるとソース選択回路３２は、ＣＤプレーヤ３１Ｃからの左右２チャンネルの音声信号を選択出力する。同様に、ＨＤＤボタン６３が押下されると、ＨＤＤ３１Ｈからの左右２チャンネルの音声信号を、また、放送ボタン６４が押下されると、放送受信部３１Ｂからの左右２チャンネルの音声信号を、ソース選択回路３２は、それぞれ選択出力する。
【００７７】
ソース選択回路３２からの２チャンネルの音声信号のうちの、左チャンネルの音声信号は、ハイパスフィルタ３３Ｌに供給されて、その高域成分が抽出される。そして、このハイパスフィルタ３３Ｌからの左チャンネルの音声信号の高域成分は、音量調整用ボリューム３４Ｌおよびパワーアンプ３５Ｌを通じて、モード切り換え用のスイッチ回路２１の音響再生モード側端子Ｍ（入力端子）に供給される。音響再生モードにおいて、このスイッチ回路２１の切換端子（入出力端子）に得られる音声信号は、スピーカ２Ｌに供給されて、音響再生される。
【００７８】
また、ソース選択回路３２からの２チャンネルの音声信号のうちの右チャンネルの音声信号は、ハイパスフィルタ３３Ｒに供給されて、その高域成分が抽出される。そして、このハイパスフィルタ３３Ｒからの左チャンネルの音声信号の高域成分は、スイッチ回路２５の音響再生モード側端子Ｍ（入力端子）に供給される。
【００７９】
このスイッチ回路２５のハンズフリー通話モード側端子Ｔ（入力端子）は接地されている。また、このスイッチ回路２５の切換端子（出力端子）に得られる音声信号は、音量調整用ボリューム３４Ｒおよびパワーアンプ３５Ｒを通じてスピーカ２Ｒに供給されて、音響再生される。
【００８０】
また、ソース選択回路３２からの２チャンネルの音声信号は、それぞれローパスフィルタ３６Ｌおよび３６Ｒに供給されて、それぞれの低域成分が抽出される。これらローパスフィルタ３６Ｌおよび３６Ｒから得られる２チャンネルの音声信号の低域成分は、加算回路３７に供給されて加算される。この加算回路３７の出力音声信号は、スイッチ回路２４の音響再生モード側端子Ｍ（入力端子）に供給される。このスイッチ回路２４のハンズフリー通話モード側端子Ｔ（入力端子）には、後述するように、通話の相手方からの受話音声信号が供給される。
【００８１】
そして、スイッチ回路２４の切換端子（出力端子）に得られる音声信号は、音量調整用ボリューム３４Ｗおよびパワーアンプ３５Ｗを通じてサブウーハ１Ｗに供給されて、音響再生される。
【００８２】
この場合、スピーカ１Ｗ，２Ｌ，２Ｒは、使用者の耳の近くに配置されるので、これらスピーカ１Ｗ，２Ｌ，２Ｒから放音する通話音声の音量は小さくてよい。したがって、使用者３が比較的大音量で音楽を聴取したとしても、他への音漏れは小さくなる。
【００８３】
次に、ハンズフリー通話の音声信号の処理系について説明する。
【００８４】
スイッチ回路２１は、スピーカ２Ｌのボイスコイルに接続されており、音響再生モード時においては、スピーカ２Ｌに音声信号が供給されることで、当該スピーカ２Ｌは、電気−音響変換装置として動作する。
【００８５】
一方、ハンズフリー通話モード時においては、スイッチ回路２１がハンズフリー通話モード側端子Ｔに切り換えられることにより、スピーカ２Ｌから音声信号を取り出す状態になる。つまり、ハンズフリー通話モード時には、スピーカ２Ｌは、音響−電気変換装置、すなわち、マイクロホンとなる。そして、この実施形態では、マイクロホンに切り換えられたスピーカ２Ｌにより、使用者３が発声する通話音声が収音され、音響−電気変換されて通話音声信号とされ、音声信号処理部２０に入力される。
【００８６】
そして、音響−電気変換装置とされたスピーカ（マイクロホン）２Ｌからの音声信号は、音声信号処理部２０においては、スイッチ回路２１のハンズフリー通話モード側端子Ｔを通じて、マイクアンプ２６に供給される。そして、マイクアンプ２６で増幅された音声信号は、ローパスフィルタ２７に供給される。
【００８７】
ローパスフィルタ２７は、この実施形態では、次のような理由により設けられている。すなわち、裸のスピーカであるサブウーハ１Ｗの振動板の前後から出る音のうち、特に、低い周波数については、振動板の前後から出る音の相殺効果が大きい。
【００８８】
そこで、この実施形態では、より確実にハウリング無く、安定に通話ができるようにするために、ローパスフィルタ２７により、前述した音圧ゼロ領域Ｚｏに配置したときにほぼ完全に相殺されて音圧がゼロになる通話音声帯域成分のみに制限するものである。この例では、ローパスフィルタ１２におけるカットオフ周波数は、例えば２ｋＨｚ程度とされている。このローパスフィルタ１２のカットオフ周波数は、ハンズフリー通話装置の使用環境により異なり、例えばカットオフ周波数が１ｋＨｚ以下の場合も考えられる。
【００８９】
なお、携帯電話端末の種類や、当該携帯電話端末との接続方法によっては、マイクアンプ２６およびローパスフィルタ２７の両方を省略するようにすることもできる。
【００９０】
ローパスフィルタ２７の出力音声信号は、スイッチ回路２２のハンズフリー通話モード側端子Ｔ（入力端子）に供給される。このスイッチ回路２２の音響再生モード側端子Ｍ（入力端子）は、この実施形態では接地されている。
【００９１】
このスイッチ回路２２の切換端子（出力端子）は、音声信号出力端子２８を通じて、この実施形態では、携帯電話端末４の送話音声入力端子に接続される。つまり、マイクロホンで収音された使用者３の送話音声信号が、携帯電話端末４の送話音声入力端子に供給される。
【００９２】
また、携帯電話端末４の受話音声出力端子からの通話の相手方からの受話音声信号が、音声信号入力端子２９を通じて、音声信号処理部２０に入力される。
【００９３】
この音声信号入力端子２９を通じて入力された受話音声信号は、スイッチ回路２３のハンズフリー通話モード側端子Ｔ（入力端子）に供給される。このスイッチ回路２３の音響再生モード側端子Ｍ（入力端子）は、この実施形態では接地されている。そして、このスイッチ回路２３の切換端子（出力端子）は、スイッチ回路２４のハンズフリー通話モード側端子Ｔに接続されている。
【００９４】
したがって、携帯電話端末４から送られてくる通話の相手方からの受話音声信号は、スイッチ回路２４、音量調整用ボリューム３４Ｗおよびパワーアンプ３５Ｗを通じてサブウーハ１Ｗに供給される。
【００９５】
この場合に、サブウーハ１Ｗは、使用者の頭部の後ろ側において、使用者の近傍に配置されるので、サブウーハ１Ｗから放音される音は、小出力音量でよい。
【００９６】
音量調整用ボリューム３４Ｌ、３４Ｒおよび３４Ｗは、使用者により音量調整つまみ６５が操作されたときに、その操作に応じて、スピーカ２Ｌ，２Ｒおよびサブウーハ１Ｗに供給する音声信号の音量を制御するためのものである。
【００９７】
すなわち、使用者が、音量調整つまみ６５を、例えば右回転させると、制御部４０は、それを音量アップ操作として検知する。そして、制御部４０は、スピーカ２Ｌ、２Ｒおよびサブウーハ１Ｗに供給する音声信号の音量を、音量調整つまみ６５の回転量に応じた分だけ、大きくするように音量調整用ボリューム３４Ｌ、３４Ｒおよび３４Ｗを制御する。
【００９８】
また、使用者が、音量調整つまみ６５を、例えば左回転させると、制御部４０は、それを音量ダウン操作として検知する。そして、制御部４０は、スピーカ２Ｌ、２Ｒおよびサブウーハ１Ｗに供給する音声信号の音量を、音量調整つまみ６５の回転量に応じた分だけ、小さくするように音量調整用ボリューム３４Ｌ、３４Ｒおよび３４Ｗを制御する。
【００９９】
なお、この実施形態では、音量調整つまみ６５は１個であり、当該１個の音量調整つまみ６５の操作に応じて、音量調整用ボリューム３４Ｌ、３４Ｒおよび３４Ｗを連動させて音量調整するようにしている。しかし、音量調整用ボリューム３４Ｌ、３４Ｒおよび３４Ｗのそれぞれに対して、音量調整つまみを設けて、それぞれ独立して調整することができるようにしても良い。
【０１００】
［第１の実施形態の動作説明］
音響再生モードにおいては、スイッチ回路２１〜スイッチ回路２５は、それぞれ音響再生モード側端子Ｍに切り換えられている。
【０１０１】
したがって、スイッチ回路２１からはスピーカ２Ｌには音声信号が供給される状態であり、スピーカ２Ｌは電気−音響変換装置、つまり、スピーカとして使用される状態に切り換えられる。また、スイッチ回路２２，２３は、接地端側に切り換えられており、ハンズフリー通話のための音声信号系は遮断されている。
【０１０２】
また、スピーカ２Ｌ，２Ｒは、図６（Ａ）に示すように、高さ位置は、使用者３の耳の横に位置する状態とされ、また、それらの振動板が耳の方向に向くような状態とされている。
【０１０３】
そして、この音響再生モードにおいては、音楽ソース部３０からの音楽ソースが、スピーカ２Ｌ，２Ｒおよびサブウーハ１Ｗにより音響再生される。出力音量は、操作ボタン群４１の音量調整つまみ６５の操作により変えられる。また、操作ボタン群４１のＣＤボタン６２、ＨＤＤボタン６３、放送ボタン６４などを操作することにより、音楽ソース部３０から送出される２チャンネル音声信号のソース源が変更される。
【０１０４】
次に、例えば、音響再生モードのときに、携帯電話端末４に着信があった場合、この実施形態では、使用者は、携帯電話端末４で着信応答操作（例えばオフフック操作）をすると共に、操作ボタン群４１の電話ボタン６１を押下操作する。また、使用者３が携帯電話端末４から相手方に発信をしてハンズフリー通話をする場合には、この実施形態では、使用者３は、携帯電話端末４で相手方への発信操作をすると共に、電話ボタン６１を押下する。
【０１０５】
使用者が操作ボタン群４１の電話ボタン６１を押下すると、制御部４０は、それを検知して、ハンズフリー通話モードに切り換える処理をする。
【０１０６】
先ず、制御部４０は、モータ５１Ｌ，５２Ｌ，５１Ｒ，５２Ｒのそれぞれに回転制御信号を供給して、スピーカ２Ｌ，２Ｒを使用者３の口の高さ位置に移動させると共に、サブウーハ１Ｗに対する音圧ゼロ領域Ｚｏに移動させるようにする。
【０１０７】
これと共に、制御部４０は、スイッチ回路２１〜２５に対して切換制御信号を供給し、それらをそれぞれハンズフリー通話モード側端子Ｔに切り換える。
【０１０８】
また、スピーカ２Ｌは、マイクロホンに切り換えられる。このスピーカ２Ｌで収音された使用者３の発声音声の送話音声信号は、マイクアンプ２１、ローパスフィルタ２２、スイッチ回路２３、音声信号出力端子２４を通じて携帯電話端末４に供給される。これにより、携帯電話端末４を介して、使用者３の送話音声信号が、相手方に携帯電話網を通じて送られる。
【０１０９】
また、携帯電話端末４で受信された相手方からの受話音声信号は、音声信号入力端子２５を通じて音声信号処理部２０に入力される。入力された相手方からの受話音声信号は、スイッチ回路２３，２４を通じ、パワーアンプ３４Ｗおよび音量調整用ボリューム３５Ｗを通じてサブウーハ１Ｗに供給される。したがって、受話音声信号は、サブウーハ１Ｗによって、音響再生される。
【０１１０】
なお、この実施形態では、携帯電話端末４への着信に対する応答や、発信操作については、携帯電話端末４において着信応答操作したり、発信操作をしたりすることで、対応するようにしている。
【０１１１】
しかし、携帯電話端末４がコンピュータとの接続端子を備える場合に、当該接続端子を用いて、自動着信／終話、登録された相手先へのワンタッチ発信機能を実現するようにするハンズフリーキットも存在する。そこで、このハンズフリーキットの機能を制御部４０に備えるようにすることで、制御部４０が自動着信／終話などの機能を行なうようにすることも勿論できる。
【０１１２】
図１０は、音響再生モードから、ハンズフリー通話モードへの切り換え時における制御部４０による制御動作を説明するためのフローチャートである。
【０１１３】
制御部４０は、電話ボタン６１が押下されたかどうかを監視する（ステップＳ１０１）。そして、電話ボタン６１が押下されていないと判別したときには、音響再生モードにおいて、ＣＤボタン６２、ＨＤＤボタン６３、放送ボタン６４や音量調整つまみ６５などの操作に応じた制御を実行する（ステップＳ１０２）。このステップＳ１０２の後には、ステップＳ１０１に戻る。
【０１１４】
ステップＳ１０１で、電話ボタン６１が押下されたと判別したときには、制御部４０は、モータ５１Ｌ，５１Ｒに回転制御信号を供給して、スピーカ２Ｌ，２Ｒの向きを、サブウーハ１Ｗの音圧ゼロ領域Ｚｏになるように変更移動する（ステップＳ１０３）。また、制御部４０は、モータ５２Ｌ，５２Ｒに回転制御信号を供給して、スピーカ２Ｌ，２Ｒの高さ位置を、使用者３の口の位置になるように変更移動する（ステップＳ１０４）。
【０１１５】
さらに、制御部４０は、スイッチ回路２１〜２５を、音響再生モード側端子Ｍからハンズフリー通話モード側端子Ｔに切り換える（ステップＳ１０５）。
【０１１６】
そして、制御部４０は、ハンズフリー通話モードが終了したか否か判別する（ステップＳ１０６）。このステップＳ１０６での制御部４０の判別処理は、使用者３が、電話ボタン６１を再度押下したか否か、あるいは、ＣＤボタン６２、ＨＤＤボタン６３、放送ボタン６４などの選択ボタンのいずれかを押下したか否かを制御部４０が判別することによりなされる。
【０１１７】
ステップＳ１０６で、ハンズフリー通話モードが終了したと判別したときには、制御部４０は、次のようにして、音響再生モードに切り換える処理をする。すなわち、先ず、制御部４０は、モータ５２Ｌ，５２Ｒに回転制御信号を供給して、スピーカ２Ｌ，２Ｒの高さ位置を、使用者３の耳の位置になるように変更移動する（ステップＳ１０７）。
【０１１８】
次に、制御部４０は、モータ５１Ｌ，５１Ｒに回転制御信号を供給して、スピーカ２Ｌ，２Ｒの向きを、使用者３の耳の方向を向くように変更移動する（ステップＳ１０８）。さらに、制御部４０は、スイッチ回路２１〜２５を、ハンズフリー通話モード側端子Ｔから音響再生モード側端子Ｍに切り換える（ステップＳ１０９）。このステップＳ１０９の後は、ステップＳ１０１に戻る。
【０１１９】
なお、上述したように、携帯電話端末４がコンピュータとの接続端子を備える場合に、当該接続端子を通じた情報に基づいて、制御部４０が、携帯電話端末４での終話を検出することができるようにしても良い。その場合には、制御部４０は、携帯電話端末４の終話を検知すると、ステップＳ１０６で、ハンズフリー通話モードの終了と判別して、音響再生モードに切り換える。この場合に、切り換え後の音響再生モードでは、予め定められた音楽ソースを選択する状になるようにしても良いし、ハンズフリー通話モードになる前の直前の状態に戻るようにするようにしてもよい。
【０１２０】
このようにして、ハンズフリー通話モードにおいては、サブウーハ１Ｗにより通話の相手方からの受話音声が放音されると共に、サブウーハ１Ｗの音圧ゼロ領域に配置されたマイクロホン（スピーカ２Ｌ）により、使用者の送話音声が収音される。
【０１２１】
したがって、ハウリングの発生を防止したハンズフリー通話が可能となる。そして、サブウーハ１Ｗ１は裸のスピーカの構成であると共に、使用者の近傍に配置されているので、元々の放音出力音量（音圧）が小さくてよい。このことと、使用者３の送話音声の収音用のマイクロホン（スピーカ２Ｌ）が、サブウーハ１Ｗの音圧ゼロ領域Ｚｏに配置されることも相俟って、この実施形態では、ハウリングを十分に防止したハンズフリー通話が可能となる。
【０１２２】
使用者３が、電話ボタン６１を押下し、携帯電話端末４から相手方に発信をしてハンズフリー通話をしようとした場合には、相手方が応答をすれば、上述のようにして、ハンズフリー通話が可能となる。
【０１２３】
［第２の実施形態］
上述の第１の実施形態では、ハンズフリー通話モードにおいては、音楽ソース源３０からの音声を遮断するようにした。しかし、ハンズフリー通話モードにおいて、音楽ソース源３０からの音声を聴取しながらの通話を行なうようにすることもできる。この第２の実施形態では、音楽ソース３０からの音声を聴取しながらのハンズフリー通話を可能した場合のハンズフリー通話機能付き音響再生装置の実施形態である。
【０１２４】
図１１に、この第２の実施形態のハンズフリー通話機能付き音響再生装置のハードウエア構成例を示す。図１１において、上述した第１の実施形態のハンズフリー通話機能付き音響再生装置と同一の構成部分には、同一番号を付してある。
【０１２５】
この第２の実施形態では、第１の実施形態におけるスイッチ回路２４および２５は設けられない。
【０１２６】
この第２の実施形態では、スイッチ回路２４，２５が除去された代わりに、ソース選択回路３２からの左右チャンネルの音声信号に対して減衰部３８Ｌおよび３８Ｒが設けられる。さらに、この第２の実施形態では、サブウーハ１Ｗに供給される音声信号に通話の相手方からの受話音声信号を混合する混合回路３９が設けられる。
【０１２７】
なお、減衰部３８Ｌおよび３８Ｒは、ハンズフリー通話の際の受話音声を聞き易くするためのもので、必須のものではない。
【０１２８】
ソース選択回路３２からの２チャンネルの音声信号のうちの左チャンネルの音声信号は、減衰部３８Ｌを通じて、ハイパスフィルタ３３Ｌおよびローパスフィルタ３６Ｌに供給される。
【０１２９】
また、ソース選択回路３２からの２チャンネルの音声信号のうちの右チャンネルの音声信号は、減衰部３８Ｒを通じて、ハイパスフィルタ３３Ｒおよびローパスフィルタ３６Ｒに供給される。
【０１３０】
そして、ハイパスフィルタ３３Ｌからの左チャンネルの音声信号の高域成分は、音量調整用ボリューム３４Ｒおよびパワーアンプ３５Ｌを通じ、さらに、スイッチ回路２１の音響再生モード側端子Ｍを通じて左チャンネルの高域用のスピーカ２Ｌに供給される。
【０１３１】
また、ハイパスフィルタ３３Ｒからの右チャンネルの音声信号の高域成分は、そのまま、音量調整用ボリューム３４Ｒおよびパワーアンプ３５Ｒを通じて、右チャンネルの高域用のスピーカ２Ｒに供給される。
【０１３２】
また、加算回路３７からの左右２チャンネルの音声信号の低域成分は、混合回路３９に供給される。この混合回路３９には、スイッチ回路２３のハンズフリー通話モード側端子Ｔを通じた通話時の相手方からの受話音声信号が供給される。そして、この混合回路３９の出力音声信号が、音量調整用ボリューム３４Ｗおよびパワーアンプ３５Ｗを通じてサブウーハ１Ｗに供給される。
【０１３３】
減衰部３８Ｌおよび３８Ｒは、この実施形態のハンズフリー通話機能付き音響再生装置において、ハンズフリー通話を行なうときに、音楽ソース部３０からの音楽ソースの音量を低減するためのものである。
【０１３４】
音楽ソース再生モードにおいては、これら減衰部３８Ｌおよび３８Ｒの減衰量は、ゼロである。つまり、減衰部３８Ｌ，３８Ｒは、音響再生モードにおいては、その入力音声信号を減衰せず入出力する。
【０１３５】
そして、操作ボタン群４１の電話ボタン６１が使用者により押下されたとき、制御部４０は、それを検知してハンズフリー通話モードに切り換え、減衰部３８Ｌおよび３８Ｒに減衰制御信号を供給して、ソース選択回路３２からの音声信号を減衰させるようにする。
【０１３６】
この場合において、減衰部３８Ｌおよび３８Ｒのハンズフリー通話モード時の減衰量は、通話の邪魔にならない程度に音楽ソースの音声信号を減衰させるように選定される。この例では、減衰部３８Ｌおよび３８Ｒは、制御部４０からの減衰制御信号により、ハンズフリー通話モード時には、その入力音声信号を、例えば−２０ｄＢだけ減衰するように制御される。
【０１３７】
その他の構成は、第１の実施形態と全く同様である。
【０１３８】
［第２の実施形態の動作説明］
音楽ソース再生モードにおいては、スイッチ回路２１、２２および２３は、第１の実施形態と同様に、それぞれ音響再生モード側端子Ｍに切り換えられている。したがって、スピーカ２Ｌはマイクロホンに切り換えられておらず、また、携帯電話端末４からの音声信号は、スイッチ回路２３により遮断されている。
【０１３９】
そして、音楽ソース部３０からの音楽ソースから形成された左右チャンネルの高域成分は、スピーカ２Ｌ，２Ｒに供給されて音響再生され、低域成分は、サブウーハ１Ｗに供給されて音響再生される。このときの減衰部３８Ｌ，３８Ｒでの減衰量はゼロである。そして、出力音量は、操作ボタン群４１の音量調整つまみ６５の操作により変えられる。また、操作ボタン群４１のＣＤボタン６２、ＨＤＤボタン６３、放送ボタン６４などを操作することにより、音楽ソース部３０から送出される２チャンネル音声信号のソース源が変更される。
【０１４０】
次に、音楽ソース再生モードのときに、使用者が操作ボタン群４１の電話ボタン６１を押下すると、前述と同様に、制御部４０は、それを検知して、音声信号処理部２０をハンズフリー通話モードに切り換える。
【０１４１】
すなわち、制御部４０は、第１の実施形態と同様に、モータ５１Ｌ，５２Ｌ，５１Ｒ，５２Ｒのそれぞれに回転制御信号を供給して、スピーカ２Ｌ，２Ｒを使用者３の口の高さ位置に移動させ、また、サブウーハ１Ｗの音圧ゼロ領域Ｚｏに移動させるようにする。
【０１４２】
そして、この第２の実施形態では、制御部４０は、スイッチ回路２１〜２３をハンズフリー通話モード側端子Ｔに切り換える。さらに、制御部４０は、この第２の実施形態では、減衰部３８Ｌおよび３８Ｒに対して、前述した減衰制御信号を出力する。これにより、減衰部３８Ｌおよび３８Ｒは、その入力音声信号を−２０ｄＢ、減衰させて出力する。
【０１４３】
そして、マイクロホンに切り換えられたスピーカ２Ｌで収音された使用者３の発声音声の送話音声信号は、マイクアンプ２６、ローパスフィルタ２７、スイッチ回路２２、音声信号出力端子２８を通じて携帯電話端末４に供給される。携帯電話端末４は、受け取った使用者の送話音声信号を、相手方に携帯電話網を通じて送る。また、携帯電話端末４で受信された相手方からの受話音声信号は、音声信号入力端子２９を通じて音声信号処理部２０に入力される。
【０１４４】
入力された相手方からの受話音声信号は、スイッチ回路２３のハンズフリー通話モード側端子Ｔを通じて混合回路３９で、加算回路３７からの減衰部３８Ｌ，３８Ｒで減衰された音声信号の低域成分と混合される。そして、この混合回路３９からの音声信号が、音量調整用ボリューム３４Ｌおよびパワーアンプ３５Ｌを通じてサブウーハ１Ｗに供給される。したがって、通話の相手方からの受話音声信号は、音楽ソース部３０からの音声信号が減衰されたものと、混合されてサブウーハ１Ｗによって、音響再生される。
【０１４５】
このように、この第２の実施形態におけるハンズフリー通話モードにおいては、音楽ソース部３０からの音声信号は、減衰部３８Ｌおよび３８Ｒにおいて、それぞれ−２０ｄＢ、減衰されるので、通話音声が聞きづらくなることが防止される。
【０１４６】
したがって、ハンズフリー通話モードにおいては、音楽ソース再生モードにおいて使用者３が聴取していた音楽ソースの聴取を続行しながら、携帯電話４を通じた相手方とのハンズフリー通話が可能となる。
【０１４７】
そして、サブウーハ１Ｗは、使用者の頭部の後方の近傍に配置されているので、元々の放音出力音量（音圧）が小さくてよい。このことと、マイクロホンに切り換えられるスピーカ２Ｌが、サブウーハ１Ｗの音圧ゼロ領域Ｚｏに配置されることと相俟って、この第２の実施形態では、ハウリングを防止して、音楽ソースを聴取しながらのハンズフリー通話が可能となる。
【０１４８】
［第３の実施形態（車載用オーディオシステム）］
この第３の実施形態は、２台のハンズフリー通話機能付き音響再生装置の間で、それぞれの使用者が音楽ソースの再生を楽しみながら、必要なときに、相互に通話を行なうことができるように構成したものである。以下に説明する実施形態は、車載用のオーディオシステムとして、例えば運転席と、助手席とに対してハンズフリー通話機能付き音響再生装置を設けた場合である。
【０１４９】
図１２は、この第３の実施形態の車載用オーディオシステムの全体の構成を示すブロックである。この図１２に示すように、この第３の実施形態は、例えば運転席に使用者３Ｂが着席し、助手席に使用者３Ａが着席する場合である。
【０１５０】
この第３の実施形態において、各使用者３Ａ，３Ｂに対するハンズフリー通話機能付き音響再生装置は、上述した第１の実施形態または第２の実施形態とほぼ同様の構成を備えるもので構成することができる。そこで、この第３の実施形態において、上述した第１の実施形態および第２の実施形態と同一部分には同一番号を用いている。そして、使用者３Ａに対するハンズフリー通話機能付き音響再生装置については、第１の実施形態および第２の実施形態と同一部分には同一番号にサフィックスＡを付与して示した。同様に、使用者３Ｂに対するハンズフリー通話機能付き音響再生装置については、第１の実施形態および第２の実施形態と同一部分には同一番号にサフィックスＢを付与して示した。
【０１５１】
第３の実施形態におけるハンズフリー通話機能付き音響再生装置は、ハンズフリー通話機能付き音響再生装置の間で、相互通話ができるように構成される点が上述の第１の実施形態および第２の実施形態とは異なる。
【０１５２】
第３の実施形態においても、図示は省略するが、使用者３Ａおよび使用者３Ｂが座る椅子のヘッドレスト部に、図２に示したものと同様の構成を有するものとして、スピーカが設けられる。
【０１５３】
すなわち、使用者３Ａおよび使用者３Ｂが座る椅子のヘッドレスト部の中央に相当する部分に、サブウーハ１ＷＡおよび１ＷＢが設けられる。また、使用者３Ａおよび使用者３Ｂが座る椅子のヘッドレスト部の左側端に左チャンネルの高域用スピーカ１ＬＡおよび１ＬＢが、ヘッドレスト部の右側端に右チャンネルの高域用スピーカ１ＲＡおよび１ＲＢが、取り付けられる。
【０１５４】
そして、上述の実施形態と同様に、スピーカ２ＬＡ，２ＲＡがスピーカ移動機構５０ＬＡ，５０ＲＡにより、前述したように、音響再生モード時と、ハンズフリー通話モード時とで、異なる高さ位置および向きとなるように移動可能に構成されている。同様に、スピーカ２ＬＢ，２ＲＢがスピーカ移動機構５０ＬＢ，５０ＲＢにより、前述したように、音響再生モード時と、ハンズフリー通話モード時とで、異なる高さ位置および向きとなるように移動可能に構成されている。
【０１５５】
さらに、ハンズフリー通話モード時においては、スピーカ２ＬＡ，２ＲＡは、サブウーハ１ＷＡの音圧ゼロ領域Ｚｏに位置するように構成されていると共に、スピーカ２ＬＢ，２ＲＢは、サブウーハ１ＷＢの音圧ゼロ領域Ｚｏに位置するように構成されている。
【０１５６】
この第３の実施形態においても、サブウーハ１ＷＡおよび１ＷＢ、また、左右チャンネルの高域用のスピーカ２ＬＡ，２ＬＢおよび２ＲＡ，２ＲＢは、裸のスピーカの構成とされる。
【０１５７】
そして、この第３の実施形態では、助手席の使用者３Ａについては、左チャンネルの高域用スピーカ２ＬＡがマイクロホンに切り換え可能に構成されている。また、運転席の使用者３Ｂについては、右チャンネルの高域用スピーカ２ＲＢがマイクロホンに切り換え可能に構成されている。図１２においては、マイクロホンに切り換え可能に構成されるスピーカ２ＬＡ，２ＲＢには網掛けをして示した。
【０１５８】
このように、ハンズフリー通話モード時のマイクロホンを、使用者３Ａの左と、使用者３Ｂの右に配置して離間させるようにしたのは、それぞれのマイクロホンが、収音すべきでない隣りの使用者の発声音声を収音するのをできるだけ防止するためである。
【０１５９】
この実施形態では、使用者３Ａに対しては操作ボタン群４１Ａが設けられ、また、使用者３Ｂに対しては操作ボタン群４１Ｂが設けられる。これら操作ボタン群４１Ａおよび４１Ｂに対する使用者３Ａおよび３Ｂの操作に応じた操作信号は、制御部４０に供給される。制御部４０は、操作ボタン群４１Ａおよび４１Ｂのいずれが操作されたか、また、どの操作ボタンが押下操作されたかを判別し、その判別結果に応じた制御を行なう。
【０１６０】
そして、使用者３Ａに対しては、音声信号処理部２０Ａが、使用者３Ｂに対しては、音声信号処理部２０Ｂが、それぞれ設けられる。そして、音声信号処理部２０Ａに対しては、携帯電話端末４Ａが接続可能とされると共に、音声信号処理部２０Ｂに対しては、携帯電話端末４Ｂが接続可能とされる。さらに、音楽ソース部３０のＣＤプレーヤ３１Ｃ、ＨＤＤ３１Ｈおよび放送受信部３１Ｂのそれぞれからの左右２チャンネルの音声信号が、音声信号処理部２０Ａおよび２０Ｂのそれぞれに供給される。
【０１６１】
音声信号処理部２０Ａおよび２０Ｂは、上述した第１および第２の実施形態の音声信号処理部２０と基本的には同様の構成とすることができる。
【０１６２】
すなわち、音楽ソース部３０からの音楽ソースを選択して再生すると共に、携帯電話端末４Ａ，４Ｂを通じて、携帯電話網を通じた外部の相手方との電話通信（ハンズフリー通話）が可能な構成とされる。ただし、この第３の実施形態では、マイクロホンに切り換えられる高域用のスピーカが、音声信号処理部２０Ａと２０Ｂとで異なるので、その点の構成は、音声信号処理部２０Ａと２０Ｂとで異なる。
【０１６３】
そして、この第３の実施形態においては、音声信号処理部２０Ａおよび２０Ｂは、さらに、使用者３Ａと使用者３Ｂとの間で、スピーカ２ＬＡ（マイクロホン）、サブウーハ１ＷＡおよびスピーカ２ＲＢ（マイクロホン）、サブウーハ１ＷＢを用いての、装置間通話が可能な構成とされている。この装置間通話は、携帯電話端末を使用した通話を外線通話とすると、いわば内線通話（使用者間会話）となる。
【０１６４】
さらに、この第３の実施形態では、使用者３Ａ，３Ｂが座る椅子（座席シート）には、使用者３Ａ，３Ｂが当該椅子に座ったとき、それを検知する着席センサ４３Ａおよび４３Ｂがそれぞれ設けられている。そして、この着席センサ４３Ａおよび４３Ｂの着席検出出力が制御部４０に供給されている。
【０１６５】
制御部４０は、着席センサ４３Ａ，４３Ｂからの着席検出出力が、着席を示す状態になっている使用者３Ａおよび／または３Ｂに対する音声信号処理部２０Ａおよび／または２０Ｂのみを動作可能状態とする。例えば、制御部４０は、着席を示す状態になっている使用者３Ａおよび／または３Ｂに対する音声信号処理部２０Ａおよび／または２０Ｂのみに電源電圧を供給して、その動作を可能として、省電力化を図るようにしている。
【０１６６】
この第３の実施形態における使用者３Ａに対するハンズフリー通話機能付き音響再生装置のハードウエア構成例を図１３に示す。また、この第３の実施形態における使用者３Ｂに対するハンズフリー通話機能付き音響再生装置のハードウエア構成例を図１４に示す。この図１３および図１４の構成は、上述した第１の実施形態における音声信号処理部２０を、この第３の実施形態に適用した場合である。
【０１６７】
図１３に示すように、使用者３Ａに対するハンズフリー通話機能付き音響再生装置の音声信号処理部２０Ａにおいては、スイッチ回路２２Ａの切換端子（出力端子）は、スイッチ回路７１Ａの切換端子に接続される。
【０１６８】
このスイッチ回路７１Ａは、制御部４０からの切換制御信号により、外線通話時と、内線通話（相互通話）時とで切り換えられるスイッチ回路である。
【０１６９】
このスイッチ回路７１Ａの外線通話側端子ＥＴ（出力端子）は、音声信号出力端子２８Ａを通じて、この実施形態では、携帯電話端末４Ａの送話音声入力端子に接続される。
【０１７０】
また、携帯電話端末４Ａの受話音声出力端子からの通話の相手方からの受話音声信号が、音声信号入力端子２９Ａを通じて、この実施形態の音声信号処理部２０Ａに入力される。そして、この音声信号入力端子２５Ａを通じて入力された受話音声信号は、携帯電話端末４Ａを通じた外線通話時と、他の使用者３Ｂとの会話（内線通話）時とで切り換えられるスイッチ回路７２Ａの外線通話側端子ＥＴ（入力端子）に供給される。このスイッチ回路７２Ａの切換端子（出力端子）は、スイッチ回路２３Ａのハンズフリー通話モード側端子Ｔに接続されている。
【０１７１】
そして、スイッチ回路７１Ａの内線通話側端子ＩＴ（出力端子）は、後述する他の使用者３Ｂの音声信号処理部２０Ｂのスイッチ回路７２Ｂの内線通話端子ＩＴ（入力端子）に接続される。また、他の使用者３Ｂの音声信号処理部２０Ｂのスイッチ回路７１Ｂの内線通話側端子ＩＴ（出力端子）が、使用者３Ａの音声信号処理部２０Ａのスイッチ回路７２Ａの内線通話側端子ＩＴ（入力端子）に接続される。
【０１７２】
図１４に示すように、使用者３Ｂに対するハンズフリー通話機能付き音響再生装置の音声信号処理部２０Ｂにおいては、右チャンネルの高域用スピーカ２ＲＢに対してスイッチ回路２１Ｂが設けられる。そして、このスイッチ回路２１Ｂの音響再生モード側端子Ｍには、パワーアンプ３５ＲＢを通じた右チャンネルの音声信号の高域成分が供給される。
【０１７３】
また、このスピーカ２ＲＢは、ハンズフリー通話モード時には、スイッチ回路２１Ｂの切り換えに伴いマイクロホンに切り換えられるように構成されている。そして、ハンズフリー通話モード時には、マイクロホンとされたスピーカ２ＲＢで収音された音声信号は、スイッチ回路２１Ｂのハンズフリー通話モード側端子Ｔを通じてマイクアンプ２６Ｂに供給される。
【０１７４】
そして、マイクアンプ２６Ｂで増幅された音声信号は、ローパスフィルタ２７Ｂを通じて、音響再生モード時とハンズフリー通話モード時とで切り換えられるスイッチ回路２２Ｂのハンズフリー通話モード側端子Ｔ（入力端子）に供給される。このスイッチ回路２２Ｂの音響再生モード側端子Ｍ（入力端子）は接地されている。
【０１７５】
そして、このスイッチ回路２２Ｂの切換端子（出力端子）は、制御部４０からの切換制御信号により、外線通話時と、内線通話（相互通話）時とで切り換えられるスイッチ回路７１Ｂの切換端子に接続される。
【０１７６】
このスイッチ回路７１Ｂの外線通話側端子ＥＴ（出力端子）は、音声信号出力端子２８Ｂを通じて、この実施形態では、携帯電話端末４Ｂの送話音声入力端子に接続される。
【０１７７】
また、携帯電話端末４Ｂの受話音声出力端子からの通話の相手方からの受話音声信号が、音声信号入力端子２９Ｂを通じて、この実施形態の音声信号処理部２０Ｂに入力される。そして、この音声信号入力端子２９Ｂを通じて入力された受話音声信号は、携帯電話端末４Ｂを通じた外線通話時と、他の使用者３Ａとの会話（内線通話）時とで切り換えられるスイッチ回路７２Ｂの外線通話側端子（入力端子）ＥＴに供給される。このスイッチ回路７２Ｂの切換端子（出力端子）は、スイッチ回路２３Ｂのハンズフリー通話モード側端子Ｔに接続されている。
【０１７８】
そして、スイッチ回路７１Ｂの内線通話側端子ＩＴ（出力端子）は、他の使用者３Ａの音声信号処理部２０Ａのスイッチ回路７２Ａの内線通話端子ＩＴ（入力端子）に接続される。また、他の使用者３Ａの音声信号処理部２０Ａのスイッチ回路７１Ａの内線通話側端子ＩＴ（出力端子）が、使用者３Ｂの音声信号処理部２０Ｂのスイッチ回路７２Ｂの内線通話側端子ＩＴ（入力端子）に接続される。
【０１７９】
この第３の実施形態においては、操作ボタン群４１Ａおよび４１Ｂには、図１５に示すように、会話ボタン６６が、図９に示した操作ボタン群４１の構成に追加される。制御部４０は、この会話ボタン６６が押下されたときには、ハンズフリー通話モードにおける内線通話要求が発生したと判断して、当該内線通話を行なえるようにするための制御動作を行なう。
【０１８０】
［第３の実施形態の動作］
以上のように構成されている第３の実施形態のシステムにおいて、使用者３Ａまたは３Ｂによって、操作ボタン群４１Ａまたは４１Ｂのいずれかの操作ボタンが操作されたときの動作について、以下に説明する。
【０１８１】
制御部４０は、着席センサ４３Ａおよび４３Ｂからの着席検出出力を監視して、使用者３Ａ，３Ｂの座席シートに対する着席を検知する。そして、制御部４０は、使用者３Ａの着席を検知すると、音声信号処理部２０Ａに電源を投入して、その動作を可能状態にする。同様に、制御部４０は、使用者３Ｂの着席を検知すると、音声信号処理部２０Ａに電源を投入して、その動作を可能状態にする。なお、この実施形態は、車載用システムであるので、キーによりアクセサリースイッチがオンとされたときに、当該システムに電源が投入されるものであることは言うまでもない。
【０１８２】
使用者３Ａ、使用者３Ｂの着席が検出されて、制御部４０により、動作可能となっている音声信号処理部２０Ａ、２０Ｂにおいては、会話ボタン６６が押下される場合を除くと、前述した第１の実施形態と同様の動作を行なう。
【０１８３】
すなわち、電話ボタン６１が押下されていない音響再生モードにおいては、この実施形態では、例えば音声信号処理部２０Ａでは、制御部４０により、スイッチ回路２１Ａ〜２５Ａが音楽再生側端子Ｍに接続される。そして、この音響再生モードにおいては、前述したようにして、制御部４０の制御の下、ＣＤボタン６２、ＨＤＤボタン６３、放送ボタン６４などの押下に応じてソース選択され、３個のスピーカで、３Ｄ方式による音響再生がなされる。
【０１８４】
この実施形態では、使用者３Ａと使用者３Ｂとでは、異なる音楽ソースを選択して楽しむことができる。
【０１８５】
そして、例えば使用者３Ａにより、操作ボタン群４１Ａの電話ボタン６１が、音響再生モードにおいて押下されると、制御部４０は、ハンズフリー通話モードの外線通話の状態に切り換える。この実施形態では、制御部４０は、音声信号処理部２０Ａのスイッチ回路２１Ａ〜２５Ａをハンズフリー通話モード側端子Ｔに切り換え、スイッチ回路７１Ａおよび７２Ａを、外線通話側端子ＥＴに切り換える。
【０１８６】
また、制御部４０は、スピーカ２ＬＡ，２ＲＡをハンズフリー通話モードの際の高さ位置および方向を向くように、前述したようにして、スピーカ移動機構５０ＬＡ，５０ＲＢを制御する。
【０１８７】
このハンズフリー通話モードの外線通話の状態においては、前述したように、音声信号処理部２０Ａでは、マイクロホンに切り換えられたスピーカ２ＬＡからの送話音声を相手方に送ると共に、相手方からの受話音声をサブウーハ１ＷＡから放音する。これにより、ハンズフリー通話が可能となる。
【０１８８】
次に、会話ボタン６６が操作されたときの動作について説明する。この実施形態では、操作ボタン群４１Ａでの会話ボタン６６の操作は、使用者３Ａから使用者３Ｂへの内線通話要求になり、操作ボタン群４１Ｂでの会話ボタン６６の操作は、使用者３Ｂから使用者３Ａへの内線通話要求になる。
【０１８９】
内線通話要求が発生した場合、制御部４０は、要求された相手方が着席していて、その音声信号処理部が動作可能状態になっているか否か判別し、動作可能状態になっていなければ、内線通話要求をした使用者に、その旨を通知する。この通知は、例えば、制御部４０により、音楽ソースの音声信号に、ブザー音を混合させるなどの方法でなされる。
【０１９０】
次に、内線通話要求された相手方の音声信号処理部が動作可能状態になっているときには、制御部４０は、ハンズフリーによる内線通話（会話）をすることができる状態に制御する。
【０１９１】
この制御を、例えば使用者３Ａが会話ボタン６６を押下した場合を例に説明する。制御部４０は、先ず、音声信号処理部２０Ａにおいて、スイッチ回路２１Ａ〜２５Ａを、ハンズフリー通話モード側端子Ｔに切り換えると共に、スイッチ回路７１Ａおよび７２Ａを、内線通話側端子ＩＴに切り換える。そして、制御部４０は、音声信号処理部２０Ｂにおいて、スイッチ回路２１Ｂ〜２５Ｂを、ハンズフリー通話モード側端子Ｔに切り換えると共に、スイッチ回路７１Ｂおよび７２Ｂを、内政通話側端子ＩＴに切り換える。
【０１９２】
図１６は、音声信号処理部２０Ａおよび２０Ｂにおけるハンズフリー通話のための構成部分のみを抽出して示したものである。そして、この図１６においては、ハンズフリー通話モードにおける内線通話時の、スイッチ回路２１〜２５Ａ，７１Ａ，７２Ａ、２１Ｂ〜２５Ｂ，７１Ｂ，７２Ｂの切換状態を示している。
【０１９３】
上記のスイッチ回路の切り換えにより、マイクロホンに切り換えられたスピーカ２ＬＡで収音された使用者３Ａの送話音声信号は、マイクアンプ２６Ａ→ローパスフィルタ２７Ａ→スイッチ回路２２Ａ→スイッチ回路７１Ａの経路を通じて相手方の音声信号処理部２０Ｂに供給される。
【０１９４】
そして、音声信号処理部２０Ｂでは、音声信号処理部２０Ａからの音声信号を、スイッチ回路７２Ｂ→スイッチ回路２３Ｂ→スイッチ回路２４Ｂ→音量調整用ボリューム３４ＷＢ→パワーアンプ３５ＷＢの経路でサブウーハ１ＷＢに供給し、音響再生する。
【０１９５】
これにより、使用者３Ａからの送話音声が、使用者３Ｂの近傍のサブウーハ１ＷＢで音響再生されて放音される。
【０１９６】
また、マイクロホンに切り換えられたスピーカ２ＲＢで収音された使用者３Ｂの送話音声信号は、マイクアンプ２６Ｂ→ローパスフィルタ２７Ｂ→スイッチ回路２２Ｂ→スイッチ回路７１Ｂの経路を通じて相手方の音声信号処理部２０Ａに供給される。
【０１９７】
そして、音声信号処理部２０Ａでは、音声信号処理部２０Ｂからの音声信号を、スイッチ回路７２Ａ→スイッチ回路２３Ａ→スイッチ回路２４Ａ→音量調整用ボリューム３４ＷＡ→パワーアンプ３５ＷＡの経路でサブウーハ１ＷＡに供給し、音響再生する。
【０１９８】
これにより、使用者３Ｂからの送話音声が、使用者３Ａの近傍のサブウーハ１ＷＢで音響再生されて放音される。
【０１９９】
以上により、ハンズフリーで、使用者３Ａと３Ｂとの間で内線通話と同様の会話ができる。その場合に、この実施形態では、マイクロホンに切り換えられるスピーカは、使用者３Ａの左耳側、使用者３Ｂの右耳側に配されているものとして、互いが、より遠くなると共に、使用者３Ａ，３Ｂを間に介在させるようになるので、ハウリングの防止効果は高い。
【０２００】
［第４の実施形態（車載用オーディオシステム）］
第４の実施形態は、第３の実施形態の発展形である。第３の実施形態は、運転席と助手席に、この発明のハンズフリー機能付き音響再生装置を適用した場合であった。この第４の実施形態は、セダンタイプの４人乗りの自動車を想定して、運転席と助手席のみではなく、後列の２つの座席シートに対しても、この発明のハンズフリー機能付き音響再生装置を適用するようにする。
【０２０１】
図１７は、この第４の実施形態の車載用オーディオシステムの構成例を示すブロック図である。この図１７においては、助手席に使用者３Ａが座り、運転席に使用者３Ｂが座り、助手席の後部には使用者３Ｃが座り、運転席の後部には使用者３Ｄが座るものとしている。
【０２０２】
この第４の実施形態においても、各使用者３Ａ，３Ｂ，３Ｃ，３Ｄに対するハンズフリー通話機能付き音響再生装置は、第３の実施形態と同様に、上述した第１の実施形態または第２の実施形態とほぼ同様の構成を備えるもので構成することができる。そこで、この第４の実施形態においても、上述した第１の実施形態および第２の実施形態と同一部分には同一番号を用いている。
【０２０３】
そして、図１７においては、使用者３Ａ，３Ｂ，３Ｃ，３Ｄに対するハンズフリー通話機能付き音響再生装置については、第１の実施形態および第２の実施形態と同一部分には同一番号に、それぞれ対応するサフィックスＡ，Ｂ，Ｃ，Ｄを付与して示している。
【０２０４】
各使用者３Ａ，３Ｂ，３Ｃ，３Ｄが座る椅子のヘッドレスト部（図示は省略）の左側に左チャンネルの高域用スピーカ２ＬＡ、２ＬＢ、２ＬＣ，２ＬＤが取り付けられる。また、各使用者３Ａ，３Ｂ，３Ｃ，３Ｄが座る椅子のヘッドレスト部の右側に右チャンネルの高域用スピーカ２ＲＡ、２ＲＢ，２ＲＣ，２ＲＤが取り付けられる。
【０２０５】
そして、各使用者３Ａ，３Ｂ，３Ｃ，３Ｄの頭部後方に、サブウーハ１ＷＡ，１ＷＢ，１ＷＣ，１ＷＤが設けられる。これらサブウーハ１ＷＡ，１ＷＢ，１ＷＣ，１ＷＤは、裸のスピーカの構成とされる。
【０２０６】
また、この実施形態では、左および右チャンネルの高域用スピーカ２ＬＡ，２ＬＢ，２ＬＣ，２ＬＤおよび２ＲＡ，２ＲＢ，２ＲＣ，２ＲＤも、裸のスピーカの構成とされる。
【０２０７】
そして、この実施形態では、助手席の使用者３Ａに対しては、左チャンネルの高域用スピーカ２ＬＡがマイクロホンに切り換え可能に構成される。同様に、助手席の後部席の使用者３Ｃに対しても、左チャンネルの高域用スピーカ２ＬＣがマイクロホンに切り換え可能に構成される。
【０２０８】
また、運転席の使用者３Ｂに対しては、右チャンネルの高域用スピーカ２ＲＢがマイクロホンに切り換え可能に構成される。同様に、運転席の後部席の使用者３Ｄに対しても、右チャンネルのスピーカ２ＲＤがマイクロホンに切り換え可能に構成される。
【０２０９】
そして、この実施形態においても、ハンズフリー通話モードにおいては、高域用スピーカ２ＬＡ、２ＬＢ、２ＬＣ，２ＬＤおよびスピーカ２ＲＡ、２ＲＢ，２ＲＣ，２ＲＤは、サブウーハ１ＷＡ、１ＷＢ、１ＷＣ、１ＷＤの音圧ゼロ領域Ｚｏに配置される。
【０２１０】
以上のように、スピーカ２ＬＡと２ＲＢ、また、スピーカ２ＬＣと２ＲＤとをマイクロホンに切り換えられるスピーカとしたのは、前述したように、左右に並ぶ隣接使用者の発声音声を収音するのをできるだけ防止するためである。これにより、マイクロホンに切り換えられるスピーカ配置位置と相俟って、ハウリング防止効果を高めることができる。
【０２１１】
この実施形態では、４座席の使用者のそれぞれが個別に音楽ソースを楽しみ、外部の相手方と携帯電話網を通じて通話を行い、さらに、４座席のいずれか、あるいは複数人と会話（内線通話）をすることができるように構成されている。
【０２１２】
マルチ切り替えボックス８０は、そのために設けられるもので、図１８に示すように、前述した制御部４０を備えると共に、各座席の使用者３Ａ，３Ｂ，３Ｃ，３Ｄのそれぞれに対して、音声信号処理部２０Ａ，２０Ｂ，２０Ｃ，２０Ｄを備える。さらに、内線切り換え回路７１を備える。
【０２１３】
図１８に示すように、各音声信号処理部２０Ａ，２０Ｂ，２０Ｃ，２０Ｄに対しては、外部の相手方と携帯電話網を通じて通話を行うための携帯電話端末４Ａ，４Ｂ，４，Ｃ，４Ｄが接続可能とされる。
【０２１４】
また、各音声信号処理部２０Ａ，２０Ｂ，２０Ｃ，２０Ｄからの内線通話のための音声入出力信号（例えば図１３のスイッチ回路７１Ａおよびスイッチ回路７２Ａの内線通話側端子ＩＴに得られる信号）は、内線切り替え回路８１に全て供給される。
【０２１５】
内線切り替え回路８１は、制御部４０からの制御信号に応じて、内線通話路を切り替えるようにする。
【０２１６】
そして、図１７に示すように、各座席の使用者３Ａ，３Ｂ，３Ｃ，３Ｄのそれぞれに対して、操作ボタン群４１Ａ，４１Ｂ，４１Ｃ，４１Ｄが設けられる。これら操作ボタン群４１Ａ，４１Ｂ，４１Ｃ，４１Ｄからの操作信号は、マルチ切り替えボックス８０が備える制御部４０に供給される。
【０２１７】
制御部４０は、操作ボタン群４１Ａ，４１Ｂ，４１Ｃ，４１Ｄのいずれが操作されたかを判別し、さらに判別した操作ボタン群のいずれの操作ボタンが操作されたかを判別する。そして、制御部４０は、その判別結果に応じた制御を実行するようにする。
【０２１８】
この実施形態では、操作ボタン群４１Ａ，４１Ｂ，４１Ｃ，４１Ｄのそれぞれは、図１９に示すような操作ボタンを備える。すなわち、前述の実施形態と同様に、操作ボタン群は、４１Ａ，４１Ｂ，４１Ｃ，４１Ｄのそれぞれは、電話ボタン６１、ＣＤボタン６２、ＨＤＤボタン６３、放送ボタン６４、音量調整つまみ６５、会話ボタン６６を備える。この第４の実施形態では、さらに、会話ボタン６６と関連付けられて、会話対象として他の３座席のいずれか１つ、あるいは複数を指定するための４個の相手指定ボタン６７１，６７２，６７３，６７４が設けられる。
【０２１９】
なお、４個の相手指定ボタンのうち、３個の相手指定ボタン６７１，６７２，６７３は、各座席毎に異なる他の座席を指定するように、予め設定されている。そして、４個の相手指定ボタンのうちの残りの１個の相手指定ボタン６７４は、他の３座席全部を相手として指定する操作ボタンとされる。
【０２２０】
また、各使用者３Ａ，３Ｂ，３Ｃ，３Ｄの座席のそれぞれに対して着席センサ４３Ａ，４３Ｂ，４３Ｃ，４３Ｄが設けられる。これら着席センサ４３Ａ，４３Ｂ，４３Ｃ，４３Ｄの着席検出出力は、マルチ切り替えボックス８０の制御部４０に供給される。制御部４０は、着席センサ４３Ａ，４３Ｂ，４３Ｃ，４３Ｄの着席検出出力に基づいて、音声信号処理部２０Ａ，２０Ｂ，２０Ｃ，２０Ｄのうち、使用者が着席している座席に対応する音声信号処理部のみに電源を投入して、その動作を可能とするように制御する。
【０２２１】
各音声信号処理部２０Ａ，２０Ｂ，２０Ｃ，２０Ｄは、音楽ソース選択部３２Ａ，３２Ｂ，３２Ｃ，３２Ｄ（図示は省略）を備える。このため、各使用者３Ａ，３Ｂ，３Ｃ，３Ｄは、操作ボタン群４１Ａ，４１Ｂ，４１Ｃ，４１Ｄのそれぞれにおいて、自分が選択した音楽ソースを再生して楽しむことができる。
【０２２２】
すなわち、例えば、使用者３Ａが操作ボタン群４１ＡのＣＤボタン６２を押下すると、制御部４０は、それを検知して、音声信号処理部２０Ａの音楽ソース選択部３２Ａを、ＣＤプレーヤ３１Ｃからの２チャンネルの音声信号を選択するように制御する。また、例えば、使用者３Ｂが操作ボタン群４１ＢのＨＤＤボタン６３を押下すると、制御部４０は、それを検知して、音声信号処理部２０Ｂの音楽ソース選択部３２Ｂを、ＨＤＤ３１Ｈからの２チャンネルの音声信号を選択する状態に制御する。他の使用者の選択ボタン操作についても同様である。
【０２２３】
また、各使用者３Ａ，３Ｂ，３Ｃ，３Ｄは、電話ボタン６１を押下することにより、各音声信号処理部２０Ａ，２０Ｂ，２０Ｃ，２０Ｄに接続される自分用の携帯電話端末４Ａ，４Ｂ，４Ｃ，４Ｄを介して、携帯電話網を通じた相手方と通話をすることができる。このときの動作は、第３の実施形態において説明したので省略する。
【０２２４】
そして、この第４の実施形態では、会話ボタン６６を押下すると共に、相手指定ボタン６７１，６７２，６７３のいずれか１つを押下すると、当該押下された相手指定ボタンにより指定される座席の相手方と会話（内線通話）をすることができる。
【０２２５】
例えば、使用者３Ａが、操作ボタン群４１Ａにおいて、会話ボタン６６を押下した後、使用者３Ｂを指定するように設定されている相手指定ボタン６７１を押下したとする。この場合、制御部４０は、当該使用者３Ａによる操作ボタン郡４１Ａでのボタン押下操作を検出し、内線切り替え回路８１を、音声信号処理部２０Ａと音声信号処理部２０Ｂの内線通話路を接続するように制御する。これにより、使用者３Ａと使用者３Ｂとの間で会話ができる。
【０２２６】
また、例えば、使用者３Ａが、操作ボタン群４１Ａにおいて、会話ボタン６６を押下した後、使用者３Ｂを指定するように設定されている相手指定ボタン６７１と、使用者３Ｃを指定するように設定されている相手指定ボタン６７２とを押下したとする。この場合、制御部４０は、当該使用者３Ａによる操作ボタン郡４１Ａでのボタン押下操作を検出し、内線切り替え回路８１を、音声信号処理部２０Ａ、２０Ｂおよび２０Ｃでの３者による内線通話路を接続するように制御する。これにより、使用者３Ａと使用者３Ｂと使用者３Ｃとの間で会話ができる。
【０２２７】
また、例えば、使用者３Ａが、操作ボタン群４１Ａにおいて、会話ボタン６６を押下した後、他の使用者の全員を指定するように設定されている相手指定ボタン６７４を押下したとする。この場合、制御部４０は、当該使用者３Ａによる操作ボタン郡４１Ａでのボタン押下操作を検出し、内線切り替え回路８１を、音声信号処理部２０Ａ、２０Ｂ，２０Ｃおよび２０Ｄの全てによる内線通話路を接続するように制御する。これにより、使用者３Ａと使用者３Ｂと使用者３Ｃと使用者３Ｄの全員の間での会話ができる。
【０２２８】
なお、この例の場合も、前述したように、着席センサ４３Ａ，４３Ｂ，４３Ｃ，４３Ｄの着席検出出力に基づいて、非着席の使用者に対する会話要求（内線通話要求）は、無効とされる。そして、その旨が前述したように警報ブザー音などにより、会話要求した使用者に知らされる。ただし、複数人との会話要求をしたときに、その一部の座席の使用者が非着席であったときには、着席している使用者との会話を可能として、非着席の使用者の存在を知らせるブザー音を省略するようにしても良い。
【０２２９】
上述した第４の実施形態においても、携帯電話端末を通じた外部の相手方との通話や内線通話（会話）を、ハウリングを防止して行なうことができるという効果は、前述の実施形態と全く同様に得ることができることは言うまでも無い。
【０２３０】
［その他の実施形態］
上述の実施形態では、音楽ソースからの左右２チャンネルの音声信号は、そのまま左右のスピーカに供給するようにした。このため、音像が頭部近傍に定位するおそれがある。しかし、音楽ソースからの左右２チャンネルの音声信号に対して、頭部伝達関数を用いた仮想音像定位処理を施すことにより、左右２チャンネルのステレオ音像を、使用者（リスナ）の前方に仮想音像定位させるようにすることもできる。
【０２３１】
すなわち、例えば、図１１において、ソース選択回路３２の出力側であって、減衰部３８Ｌ，３８Ｒの前段に、仮想音像定位処理部を設ける。そして、予め、使用者の前方に左右スピーカを設置すると共に、使用者、あるいはダミーヘッドの両耳近傍に設置したマイクロホンで、設置されたスピーカからの音波を収音し、頭部伝達関数を測定しておく。そして、測定した頭部伝達関数を、仮想音像定位処理部において、２チャンネルの音声信号に畳み込み処理する。これにより、使用者の両耳近傍、後部に置かれたスピーカ２Ｌ，２Ｒによる放音音声によって仮想音像が使用者３の前方に定位され、使用者３は、２チャンネル音声を、前方に置かれた左右スピーカから放音されたように、聴取することができる。
【０２３２】
なお、この仮想音像定位処理によれば、２個のスピーカ２Ｌ，２Ｒを用いて、例えば５．１チャンネルのマルチサラウンドの仮想音像定位をさせるようにすることもできる。その場合には、５．１チャンネルサラウンド音声信号を仮想音像定位処理して２チャンネルの音声とし、その２チャンネルの音声信号のそれぞれをスピーカ２Ｌ，２Ｒに供給するようにする。
【０２３３】
したがって、２個のスピーカ２Ｌ，２Ｒは、２チャンネルステレオ音声の左右チャンネル用のみとは限らない。
【０２３４】
なお、上述の実施形態では、サブウーハの左右の高域用スピーカのうちの一方のみをマイクロホンに切り換え可能に構成した。しかし、左右の両方のスピーカ２Ｌ，２Ｒをマイクロホンに切り換え可能に構成して、その一方を適宜選択してマイクロホンとして用いるようにすることもできる。
【０２３５】
［実施形態の効果］
上述した実施形態のハンズフリー通話機能付き音響再生装置によれば、簡単なハードウエア構成で、ハウリングを防止しながらハンズフリー通話ができる。従来は、車載用装置などでは、サンバイザーやハンドルなどにハンズフリー通話用のマイクロホンを取り付けなければならない煩わしさがあった。
【０２３６】
これに対して、上述の実施形態によれば、サブウーハの音圧ゼロ領域である位置にマイクロホンに切り換え可能に構成した高域用スピーカが取り付けられ、ヘッドレスト部にそれらのスピーカが取り付けられる構成であるので、そのような煩わしさが改善される。
【０２３７】
また、ヘッドホンタイプのハンズフリー通話装置では、ヘッドホンを装着しなければならなかったので、身体にヘッドホンが接触することによる違和感や非衛生的などの問題点があった。
【０２３８】
これに対して、この実施形態では、スピーカは、使用者の近傍において、ヘッドレストなどに固定されるので、そのような問題点は解消される。
【０２３９】
そして、スピーカは、使用者の耳の近傍に配置されるので、音響エネルギーは少なくてよく、自動車などの狭い空間においても、ハウリングを防止したハンズフリー通話を、他への影響を少なくして行うことができる。
【０２４０】
また、上述のハンズフリー通話機能付け音響再生装置の実施形態においては、音楽ソースは、各使用者が個別に選択することができると共に、音量も個別に調整することができる。そして、ハンズフリー通話の際には、音楽ソースについては減衰させるようにして、音楽ソースを聴取しながらのハンズフリー通話が可能である。
【０２４１】
［その他の変形例］
なお、上述の実施形態では、左右２チャンネルの高域用のスピーカも裸のスピーカの構成としたが、これらは、バッフル板に取り付けたり、スピーカボックスに収納されるスピーカであっても良い。ただし、左右２チャンネルの高域用のスピーカの少なくとも一方は、マイクロホンと切り換えられるスピーカの構成とされる必要はある。
【０２４２】
また、上述した実施形態では、マイクアンプおよびローパスフィルタを通じてハンズフリー通話の送話音声を送出し、受話音声は、パワーアンプを通じるようにした。しかし、携帯電話端末の種類や、当該携帯電話端末との接続方法によっては、マイクアンプおよびローパスフィルタ、また、パワーアンプは省略するようにすることもできる。
【０２４３】
上述の実施形態では、外部の相手方とは、携帯電話網を通じて通話を行なうようにしたが、電話網としては、携帯電話網に限らず、加入者電話回線網やその他の電話網を通じた通話が可能であることは勿論である。
【０２４４】
また、ハンズフリー通話機能付きの音響再生装置は、上述の車載用オーディオシステムの場合に限らず、例えば家庭用の装置としても構成することもできる。また、第１および第２のスピーカは、椅子のヘッドレストに取り付けられる場合に限られず、専用の保持具を用いるようにすることも可能である。
【０２４５】
また、上述の実施形態では、３Ｄ方式のスピーカシステムに、この発明を適用した場合について説明したが、第１のスピーカおよび第２のスピーカとしては、上述の実施形態のサブウーハおよび高域用スピーカに限られるものではない。すなわち、この発明の構成を満足するものであれば、第１のスピーカおよび第２のスピーカとしては、種々の構成のものが採用可能である。
【０２４６】
なお、上述の実施形態では、操作ボタン群は、有線で接続される状態を示したが、操作ボタン群は、リモコン送信機に設けられる構成であっても良いことはもちろんである。
【図面の簡単な説明】
【０２４７】
【図１】この発明によるハンズフリー通話機能付き音響再生装置の第１の実施形態の構成例のブロック図である。
【図２】この発明によるハンズフリー通話機能付き音響再生装置の第１の実施形態において、スピーカの取り付け構造の一例を説明するための図である。
【図３】この発明によるハンズフリー通話機能付き音響再生装置の第１の実施形態に用いるスピーカの配置位置を説明するために用いる図である。
【図４】この発明によるハンズフリー通話機能付き音響再生装置の第１の実施形態に用いるスピーカの配置例における特性を説明するための図である。
【図５】この発明によるハンズフリー通話機能付き音響再生装置の第１の実施形態に用いるスピーカの移動機構による移動状態を説明するために用いる図である。
【図６】この発明によるハンズフリー通話機能付き音響再生装置の第１の実施形態に用いるスピーカの移動機構による移動状態を説明するために用いる図である。
【図７】この発明によるハンズフリー通話機能付き音響再生装置の第１の実施形態に用いるスピーカの移動機構の一例を説明するための図である。
【図８】この発明によるハンズフリー通話機能付き音響再生装置の第１の実施形態に用いるスピーカの移動機構の一例を説明するための図である。
【図９】この発明によるハンズフリー通話機能付き音響再生装置の第１の実施形態に用いる操作ボタン群の一例を説明するための図である。
【図１０】この発明によるハンズフリー通話機能付き音響再生装置の第１の実施形態における要部の動作を説明するためのフローチャートである。
【図１１】この発明によるハンズフリー通話機能付き音響再生装置の第２の実施形態の構成例を示すブロック図である。
【図１２】この発明によるハンズフリー通話機能付き音響再生装置の第３の実施形態の構成例を示すブロック図である。
【図１３】この発明の第３の実施形態の一部の構成例を示すブロック図である。
【図１４】この発明の第３の実施形態の他の一部の構成例を示すブロック図である。
【図１５】この発明によるハンズフリー通話機能付き音響再生装置の第３の実施形態に用いる操作ボタン群の一例を説明するための図である。
【図１６】この発明の第３の実施形態における装置間通話（内線通話）を説明するための図である。
【図１７】この発明によるハンズフリー通話機能付き音響再生装置の第４の実施形態の構成例を示すブロック図である。
【図１８】この発明の第４の実施形態における装置間通話（内線通話）を説明するための図である。
【図１９】この発明の第４の実施形態における操作ボタン群の例を示す図である。
【図２０】従来の車載用ハンズフリー通話装置の一例を説明するための図である。
【図２１】従来の車載用ハンズフリー通話装置の他の例を説明するための図である。
【符号の説明】
【０２４８】
１Ｗ…サブウーハ（第１のスピーカ）、２Ｌ…高域用スピーカ（第２のスピーカ）、３…使用者、４…携帯電話端末
【図１】
2010056722.tif 000003
【図２】
2010056722.tif 000004
【図３】
2010056722.tif 000005
【図４】
2010056722.tif 000006
【図５】
2010056722.tif 000007
【図６】
2010056722.tif 000008
【図７】
2010056722.tif 000009
【図８】
2010056722.tif 000010
【図９】
2010056722.tif 000011
【図１０】
2010056722.tif 000012
【図１１】
2010056722.tif 000013
【図１２】
2010056722.tif 000014
【図１３】
2010056722.tif 000015
【図１４】
2010056722.tif 000016
【図１５】
2010056722.tif 000017
【図１６】
2010056722.tif 000018
【図１７】
2010056722.tif 000019
【図１８】
2010056722.tif 000020
【図１９】
2010056722.tif 000021
【図２０】
2010056722.tif 000022
【図２１】
2010056722.tif 000023